(57)【要約】【課題】複数人で貯玉を共有して利用できるとともに、貯玉に関するデータの保存領域を圧迫することのない遊技システムを提供することを目的とする。【解決手段】遊技台での遊技によって遊技者が獲得した遊技媒体の数量を遊技者所有の遊技媒体数情報として管理する管理手段を備え、管理手段が管理する遊技媒体数情報に基づいて遊技媒体の払い出しを可能とする遊技システムにおいて、共有グループとして登録された複数の固有情報に関連付けられた各口座情報から、当該共有グループに属する遊技者が利用可能な共有口座情報となる口座情報を選択する共有口座選択手段と、共有口座選択手段によって選択された共有口座情報の遊技媒体数情報に基づいて、共有グループに属する遊技者が遊技媒体の払い出しを可能とする口座共有手段と、を備えることを特徴とする。【選択図】図６
2011098050.tif 000002
【特許請求の範囲】
【請求項１】
遊技台での遊技によって遊技者が獲得した遊技媒体の数量を遊技者所有の遊技媒体数情報として管理する管理手段を備え、
前記管理手段が管理する遊技媒体数情報に基づいて遊技媒体の払い出しを可能とする遊技システムにおいて、
遊技者が所持する記憶媒体に記憶される固有情報と遊技者所有の遊技媒体数情報とを関係付けた口座情報を記憶する口座情報記憶手段と、
複数の遊技者がそれぞれ所持する前記記憶媒体に記憶される前記固有情報を関連付けて登録することによって、前記複数の遊技者を共有グループとして登録するグループ登録手段と、
前記共有グループとして登録された複数の固有情報に関連付けられた各口座情報から、当該共有グループに属する遊技者が利用可能な共有口座情報となる口座情報を選択する共有口座選択手段と、
前記共有口座選択手段によって選択された共有口座情報の遊技媒体数情報に基づいて、前記共有グループに属する遊技者が遊技媒体の払い出しを可能とする口座共有手段と、を備えることを特徴とする遊技システム。
【請求項２】
前記口座情報記憶手段に記憶された口座情報の遊技媒体数情報に基づいて、遊技媒体の払い出しが行われた場合に、当該遊技媒体数情報を減算更新する遊技媒体数情報更新手段を備え、
前記遊技媒体数情報更新手段は、前記共有口座選択手段によって選択された共有口座情報の遊技媒体数情報に基づいて遊技媒体の払い出しが行われた場合にも、当該共有口座情報の遊技媒体数情報を減算更新することを特徴とする請求項１に記載の遊技システム。
【請求項３】
前記遊技媒体数情報更新手段は、前記共有グループに属する遊技者が遊技の結果獲得した遊技媒体を、前記共有口座情報の遊技媒体数情報に加算更新することを特徴とする請求項１又は２に記載の遊技システム。
【請求項４】
前記口座情報記憶手段は、前記固有情報と関連付けられた前記遊技媒体数情報を、当該固有情報を記憶する前記記憶媒体を所持する遊技者のみが使用可能な個人遊技媒体数情報と、前記共有グループに属する各遊技者が使用可能な共有遊技媒体数情報と、に分けて記憶し、
前記口座共有手段は、前記共有口座選択手段によって前記共有口座情報として選択された口座情報の前記個人遊技媒体数情報の一部又は全部を、前記共有遊技媒体数情報に移行することを特徴とする請求項１〜３のいずれか一つに記載の遊技システム。
【請求項５】
前記共有口座選択手段は、前記口座共有手段が前記個人遊技媒体数情報から前記共有遊技媒体数情報に移行する移行遊技媒体数を決定する移行遊技媒体数決定手段を有し、
前記移行遊技媒体数決定手段は、前記共有口座選択手段によって前記共有口座情報として選択された口座情報の前記固有情報を記憶する前記記憶媒体を所持する遊技者のみに、前記移行遊技媒体数を決定させることを特徴とする請求項４に記載の遊技システム。
【請求項６】
前記管理手段は、前記記憶媒体に記憶された前記固有情報を読み取り可能な記憶媒体受付端末手段を備え、
前記口座共有手段は、
前記記憶媒体受付端末手段が前記記憶媒体に記憶された前記固有情報の読み取りを行った場合に、前記読み取られた固有情報が登録されている共有グループの前記共有口座情報の利用を開始する共有開始手段と、
前記記憶媒体受付端末手段が前記記憶媒体に記憶された前記固有情報の読み取りを行えなくなった場合に、前記利用が開始された共有口座情報の利用を終了する共有終了手段と、を有することを特徴とする請求項１〜５のいずれか一つに記載の遊技システム。
【請求項７】
前記共有終了手段が、前記共有開始手段によって前記共有口座情報の利用が開始されたすべての遊技者の利用を終了させた場合に、前記共有口座情報の遊技媒体数情報に基づく景品交換を許可する景品交換手段を備えることを特徴とする請求項６に記載の遊技システム。
【発明の詳細な説明】
【技術分野】
【０００１】
本発明は、遊技者間で遊技媒体の提供を行う遊技システムに関する。
【背景技術】
【０００２】
従来、遊技客は、獲得した遊技媒体を遊技場に預け入れ、後日来店した際に、遊技場に預け入れた遊技媒体を引き出して遊技することができる貯玉システムが提供されている。
【０００３】
この貯玉システムを利用する場合は、遊技客は、予め遊技場に貯玉会員の登録をして会員カードを発行してもらう。そして、遊技媒体を計数機で計数する場合は、自己の会員カードを計数機に読み取らせた状態で遊技媒体を計数することにより、個人口座に遊技媒体を預け入れることができるとともに、台間玉貸機等に会員カードを読み取らせた状態で預け入れた遊技媒体を引き出して遊技する、所謂貯玉再プレイ遊技を行うことが可能となる。
【０００４】
このような貯玉システムでは、会員カードに対応させて専用の個人口座を開設し、この個人口座に対して預け入れ及び引き出し可能な会員カードを一枚に限定している。このため、貯玉システムを利用している会員を含む複数人で遊技場に来店し、この会員の貯玉を複数人で利用しようとする場合、各人が貯玉を利用する度に会員カードを借り受けなければならず、極めて面倒であった。
【０００５】
そこで、個人口座とは別にグループ口座を開設し、このグループ口座に移動された貯玉をグループに属する会員が利用可能とするシステムが提案されている（特許文献１参照）。
【先行技術文献】
【特許文献】
【０００６】
【特許文献１】特開２００４−１６６７８２号公報
【発明の概要】
【発明が解決しようとする課題】
【０００７】
しかしながら、特許文献１の遊技システムのように、個人口座とは別にグループ口座を開設する場合、このグループ口座に貯玉が記憶されている状態でグループの利用がなくなると以下の問題が発生する。
【０００８】
例えば、所定期間グループでの利用が無ければ、保存領域におけるデータ肥大を防止するために、そのグループ口座を削除することが考えられるが、グループ口座に貯玉が記憶されているため、貯玉を行った会員に対して断り無くグループ口座を削除できない。
【０００９】
このため、利用がなくなったグループ口座に関してもデータを保存しておかなければならず、保存領域の容量を圧迫する原因となっていた。
【００１０】
そこで、本発明は、複数人で貯玉を共有して利用できるとともに、貯玉に関するデータの保存領域を圧迫することのない遊技システムを提供することを目的とする。
【課題を解決するための手段】
【００１１】
本発明の代表的な一形態は、遊技台での遊技によって遊技者が獲得した遊技媒体の数量を遊技者所有の遊技媒体数情報として管理する管理手段を備え、前記管理手段が管理する遊技媒体数情報に基づいて遊技媒体の払い出しを可能とする遊技システムにおいて、遊技者が所持する記憶媒体に記憶される固有情報と遊技者所有の遊技媒体数情報とを関係付けた口座情報を記憶する口座情報記憶手段と、複数の遊技者がそれぞれ所持する前記記憶媒体に記憶される前記固有情報を関連付けて登録することによって、前記複数の遊技者を共有グループとして登録するグループ登録手段と、前記共有グループとして登録された複数の固有情報に関連付けられた各口座情報から、当該共有グループに属する遊技者が利用可能な共有口座情報となる口座情報を選択する共有口座選択手段と、前記共有口座選択手段によって選択された共有口座情報の遊技媒体数情報に基づいて、前記共有グループに属する遊技者が遊技媒体の払い出しを可能とする口座共有手段と、を備えることを特徴とする。
【発明の効果】
【００１２】
本発明によると、複数人で貯玉を共有して利用できる。また、共有グループに属する複数の遊技者の口座情報から遊技媒体数情報を共有する共有口座情報を選択し、選択された共有口座情報を共有するので、共有グループを管理するために、独立した口座を作成する必要がない。このため、遊技媒体数情報に関する保存領域が圧迫されることを防止できる。
【図面の簡単な説明】
【００１３】
【図１】本発明の実施形態の遊技システムのシステム構成図である。
【図２】本発明の実施形態の遊技用装置の構成の説明図である。
【図３】本発明の実施形態の遊技場管理装置の構成を示すブロック図である。
【図４】本発明の実施形態の会員管理装置の構成を示すブロック図である。
【図５】本発明の実施形態の記憶媒体受付端末装置の構成を示すブロック図である。
【図６】本発明の遊技システムによって実行されるグループ登録処理、共有開始処理、及び共有参加処理のシーケンス図である。
【図７】本発明の実施形態の遊技システムによって実行される共有再プレイ処理、計数情報更新処理、共有中断処理、及び共有終了処理のシーケンス図である。
【図８Ａ】本発明の実施形態の会員データベースの説明図である。
【図８Ｂ】本発明の実施形態のグループテーブルの説明図である。
【図９Ａ】本発明の実施形態のグループ登録時に表示装置に表示されるグループ登録画面の前半部の説明図である。
【図９Ｂ】本発明の実施形態のグループ登録時に表示装置に表示されるグループ登録画面の後半部の説明図である。
【図１０】本発明の実施形態の記憶媒体受付端末装置によって実行される記憶媒体受付端末制御処理のフローチャートである。
【図１１】本発明の実施形態の記憶媒体受付端末装置によって実行されるグループ設定処理のフローチャートである。
【図１２】本発明の実施形態の記憶媒体受付端末装置によって実行される登録実行処理のフローチャートである。
【図１３】本発明の実施形態の会員管理装置によって実行されるグループ登録処理のフローチャートである。
【図１４】本発明の実施形態の共有開始時に表示装置に表示される共有開始画面の説明図である。
【図１５】本発明の実施形態の利用玉数設定画面の説明図である。
【図１６】本発明の実施形態の共有参加時に表示装置に表示される共有参加画面の説明図である。
【図１７】本発明の実施形態の記憶媒体受付端末装置によって実行される共有開始処理・共有参加処理のフローチャートである。
【図１８】本発明の実施形態の記憶媒体受付端末装置によって実行される共有開始処理のフローチャートである。
【図１９】本発明の実施形態の記憶媒体受付端末装置によって実行される利用玉数設定処理のフローチャートである。
【図２０】本発明の実施形態の記憶媒体受付端末装置によって実行される共有参加処理のフローチャートである。
【図２１】本発明の実施形態の会員管理装置によって実行される共有開始情報登録処理のフローチャートである。
【図２２】本発明の実施形態の会員管理装置によって実行される共有参加情報登録処理のフローチャートである。
【図２３】本発明の実施形態の表示装置の再プレイボタンが操作された場合に表示される表示画面の説明図である。
【図２４】本発明の実施形態の記憶媒体受付端末装置によって実行される共有再プレイ処理のフローチャートである。
【図２５】本発明の実施形態の会員管理装置によって実行される共有玉数情報更新処理のフローチャートである。
【図２６】本発明の実施形態のカードが排出される場合に表示装置に表示される表示画面の説明図である。
【図２７】本発明の実施形態の記憶媒体受付端末装置によって実行される共有中断・共有終了処理のフローチャートである。
【図２８】本発明の実施形態の会員管理装置によって実行される共有終了登録処理のフローチャートである。
【図２９】本発明の実施形態の記憶媒体受付端末装置によって実行される共有中断処理のフローチャートである。
【図３０】本発明の実施形態の会員管理装置によって実行される共有中断登録処理のフローチャートである。
【図３１】本発明の実施形態の記憶媒体受付端末装置によって実行される計数情報送信処理のフローチャートである。
【図３２】本発明の実施形態の会員管理装置によって実行される計数情報更新処理のフローチャートである。
【発明を実施するための形態】
【００１４】
以下の実施の形態の説明において記す前後左右とは、遊技者から見た、つまり遊技機に向かって見た方向を指すものとする。
【００１５】
以下、本発明の実施形態について、図１〜図３２を参照して説明する。
【００１６】
図１は、本発明の実施形態の遊技システムのシステム構成図である。
【００１７】
遊技場には、遊技場に設置された遊技用装置４を管理するための遊技場管理装置１が設置される。
【００１８】
遊技場管理装置１は、中継装置１３Ａを介して、コーナーランプ７、複数の情報収集端末装置３、及び複数の呼出しランプ８に接続される。
【００１９】
コーナーランプ７は、複数の遊技用装置４が配置される一つの島設備に一つのコーナーランプ７が配置されるものである。島設備に配置される遊技用装置４等に異常が発生した場合には、当該島設備に配置されたコーナーランプ７は、点灯又は点滅して、当該島設備に異常が発生したことを遊技場の従業員に報知する。
【００２０】
なお、コーナーランプ７は、島設備毎に設置されなくてもよく、例えば、フロア毎、通路毎、又は、所定のブロック毎に設置されてもよい。
【００２１】
情報収集端末装置３は、遊技用装置４に接続され、情報収集端末装置３に接続された遊技用装置４から出力された各種信号に基づいて、所定期間の遊技データの累積値を生成する。また、情報収集端末装置３は、情報収集端末装置３に接続された遊技用装置４から出力された各種信号を、中継装置１３Ａを介して遊技場管理装置１へ出力する。
【００２２】
この情報収集端末装置３が生成する所定期間の遊技データの累積値は、通常は一営業単位毎に累積算出される。ここで営業単位とは一日の営業開始から営業終了までを意味し、開店時間より早く始まり閉店時間より遅く終わる。なお、一日の営業時間を午前、午後等に分割して、一日に複数の営業単位を設定してもよい。また、営業単位を、複数日（例えば、一週間）にわたるものとしてもよい。
【００２３】
なお、複数（例えば、二台）の遊技用装置４に対して一台の情報収集端末装置３を接続する構成でもよい。また、本実施の形態では、記憶媒体受付端末装置６（図２参照）は各遊技機５（図２参照）に一対一に対応して接続する構成としている。しかし、例えば、記憶媒体受付端末装置６を二台の遊技用装置４の間に一台設け、切替スイッチにより、左右どちらの遊技用装置４に対応するかを切り替えてもよい。
【００２４】
呼出しランプ８は、遊技用装置４等に異常が発生した場合に、ランプを点灯又は点滅し、当該遊技用装置４に異常が発生したことを遊技場の従業員に報知する。
【００２５】
遊技用装置４は、遊技球又はメダル等の遊技媒体を用いて実際に遊技を行う遊技機５を備えるとともに、当該遊技媒体を提供するための構成を備える。遊技用装置４の構成については、図２で詳細を説明する。
【００２６】
また、各遊技用装置４は、中継装置１３Ｂを介して、記憶媒体受付発行装置３５、残額精算機１５、景品ＰＯＳ９、及び会員管理装置１７に接続されている。
【００２７】
遊技者は、所有する紙幣等の有価価値を遊技用装置４に投入することによって所定数の遊技媒体の貸し出しを受けることができる。また、本発明の実施形態の遊技システムには前述した貯玉システムが提供されているため、遊技場に預け入れた遊技媒体（貯玉）を引き出すことで遊技媒体の貸し出しを受けることができる。
【００２８】
遊技用装置４は、紙幣等の有価価値を投入して遊技媒体を貸し出す場合には、投入された有価価値に応じた所定数の遊技媒体を提供する。一方、遊技場に預け入れられた遊技媒体を引き出す場合には、遊技者が所持する会員カード又はワンデイカード等の記憶媒体を受け付け、当該記憶媒体に記憶されたカードＩＤに基づいて、当該遊技者が預け入れている遊技媒体を特定し、所定数の遊技媒体を提供する。
【００２９】
遊技用装置４は、所定数の遊技媒体を遊技者に提供すると、球貸信号を情報収集端末装置３に出力する。さらに、有価価値が投入された場合には、投入された有価価値を示す入金信号を情報収集端末装置３に出力する。
【００３０】
また、遊技用装置４は、記憶媒体を受け付けた場合には、当該記憶媒体に記憶されているカードＩＤを中継装置１３Ｂを介して、会員管理装置１７に送信する。さらに、遊技媒体を遊技者に提供した場合には、提供された遊技媒体や投入された有価価値に関する情報を含む球貸・入金情報を会員管理装置１７に送信する。
【００３１】
記憶媒体受付発行装置３５は、遊技者に会員カードを発行する装置である。遊技者は、記憶媒体受付発行装置３５に会員カードを発行させる場合には、遊技者の個人情報（名前、住所、電話番号など）を入力する必要がある。
【００３２】
また、本発明の実施形態では、詳細は後述するが、遊技場に預け入れられた遊技媒体を他の遊技者と共有することができる。記憶媒体受付発行装置３５は、遊技媒体を共有する遊技者で構成されるグループを登録することができる。なお、グループの登録は、各遊技用装置４でも行うことができるようにしてもよいし、記憶媒体受付発行装置３５でのみ行うことができるようにしてもよい。また、別途専用端末機を備えるようにしてもよい。
【００３３】
残額精算機１５は、遊技者が所持する記憶媒体に記憶されているカードＩＤに対応する有価価値（残額）を遊技者に払い戻す。
【００３４】
景品ＰＯＳ９は、遊技者が保有する遊技媒体と引き換えに景品を交換するとともに、景品の在庫管理を行う。また、景品ＰＯＳ９は、遊技者に関する情報を登録し、会員カードを発行する機能を備える。
【００３５】
会員管理装置１７は、遊技者のカードＩＤと当該遊技者が所有する各種遊技媒体の数量（貯球数、持ち球数、貯メダル数等）とを対応付けて管理する。この遊技者のカードＩＤと当該遊技者が所有する各種遊技媒体の数量とを対応付けた情報を口座情報という。
【００３６】
また、遊技場管理装置１はインタフェース装置１４に接続され、会員管理装置１７はインタフェース装置１４に接続されることによって、遊技場管理装置１及び会員管理装置１７は接続されている。
【００３７】
図２は、本発明の実施形態の遊技用装置４の構成の説明図である。
【００３８】
遊技用装置４は、記憶媒体受付端末装置６の一例としてのカードユニット、遊技機５、アウトタンク４３、及び各台計数器６８を備える。  記憶媒体受付端末装置（カードユニット）６は、遊技者が所有する有価価値、貯球、持ち球を使用して遊技媒体（遊技球又はメダル等）を払い出す（「球貸しに関する機能」）。また、遊技場に預け入れた遊技媒体（貯玉）を払い出すことも可能となっている（「貯玉を利用するための機能」）。遊技機（遊技台）５は、貸球を利用する場合は記憶媒体受付端末装置６からの指令に基づいて排出制御装置（図示省略）の制御により排出装置から排出された遊技媒体を使用して遊技を行い、貯玉を利用する場合は記憶媒体受付端末装置６から払い出された遊技媒体を使用して遊技を行う。
【００３９】
アウトタンク４３は、遊技媒体を使用して行われる遊技において、入賞口や入賞装置に入賞して遊技機５の裏面側から外部に導出された遊技媒体と、遊技媒体がいずれの入賞口にも入賞せずに後述するアウト口３９に受け入れられ、遊技機５の裏面側から外部へ導出された遊技媒体と、を計数する。各台計数器６８は、遊技者が遊技の結果獲得し、遊技機５の前面側から外部へ導出された遊技媒体（拾った遊技球や他の人から借りた遊技球も含む）を計数する。
【００４０】
以下、各構成について、詳細に説明する。まず、遊技機５の構成について説明する。
【００４１】
遊技機５の前面枠１９は本体枠（外枠）１２に図示しないヒンジを介して開閉回動可能に組み付けられる。遊技盤５０は前面枠１９の表側に形成された収納部（図示省略）に収装される。また、前面枠１９には、遊技盤５０の前面を覆うカバーガラス（透明部材）を備えたガラス枠１８が取り付けられている。
【００４２】
遊技盤５０について説明する。
【００４３】
遊技盤５０の表面には、ガイドレール５５で囲われた略円形状の遊技領域５１が形成される。
【００４４】
遊技領域５１には、ほぼ中央に表示装置５８が設けられるセンターケース４０が設置される。表示装置５８はセンターケース４０に設けられた凹部に、センターケース４０の前面より奥まった位置に取り付けられている。すなわち、センターケース４０は表示装置５８の表示領域の周囲を囲い、表示装置５８の表示領域から突出して設けられている。
【００４５】
表示装置５８は、例えば、ＬＣＤ（液晶表示器）、ＣＲＴ（ブラウン管）等で表示画面が構成されている。表示画面の画像を表示可能な領域（表示領域）には、複数の変動表示領域が設けられており、各変動表示領域に識別情報（特別図柄）や特図変動表示ゲームを演出するキャラクタが表示される。表示画面の変動表示領域には、識別情報として割り当てられた三つの特別図柄が変動表示（可変表示）して特図変動表示ゲーム（補助遊技）が行われる。その他、表示画面には遊技の進行に基づく画像（例えば、大当たり表示、ファンファーレ表示、エンディング表示等）が表示される。
【００４６】
センターケース４０の左側には、普通図柄始動ゲート３１が設けられる。センターケース４０の左下側には、三つの一般入賞口３２が備えられ、センターケース４０の右下側には、一つの一般入賞口３２が備えられている。
【００４７】
センターケース４０の下側には、開閉可能な普通変動入賞装置３３を備える始動入賞口３４が設けられる。
【００４８】
また、センターケース４０の下側に設けられた始動入賞口３４の下方には、表示装置５８の作動結果によって遊技球を受け入れない状態と受け入れやすい状態とに変換可能な特別変動入賞装置（大入賞口）３６が設けられる。
【００４９】
遊技機５では、図示しない発射装置から遊技領域５１に向けて遊技球（パチンコ球）が打ち出されることによって遊技が行われる。打ち出された遊技球は、遊技領域５１内の各所に設置された釘や風車等の方向転換部材によって転動方向を変えながら遊技領域５１を流下し、一般入賞口３２、始動入賞口３４、又は特別変動入賞装置３６に入賞するか、遊技領域５１の最下部に設けられたアウト口３９に入り、遊技機５の裏面側のアウトタンク４３に排出される。
【００５０】
なお、遊技球が各種入賞口又はアウト口３９に入る前に、普通図柄始動ゲート３１を通過する場合がある。
【００５１】
また、始動入賞口３４の状態には、普通変動入賞装置３３の開閉によって、遊技球が入賞しやすい状態と遊技球が入賞しにくい状態とがある。
【００５２】
通常、普通変動入賞装置３３は閉状態であり、始動入賞口３４は、遊技球が入賞しにくい状態である。普通図柄始動ゲート３１を遊技球が通過することによって、普図変動表示ゲームが実行され、普図変動表示ゲームの結果、当たり状態が発生すると、普通変動入賞装置３３が開状態に変換され、始動入賞口３４は遊技球が入賞しやすい状態となる。
【００５３】
一般入賞口３２への遊技球の入賞は、図示しない一般入賞口センサによって検出される。
【００５４】
始動入賞口３４への遊技球の入賞は、図示しない始動入賞口センサによって検出される。この遊技球の通過タイミングによって抽出された特別図柄乱数カウンタ値は、遊技機５の特図記憶領域に特別図柄入賞記憶（始動記憶）として所定数（例えば、最大で４回分）を限度に記憶される。そして、この始動記憶の記憶数は、図示しない特図表示器に表示される。遊技機５は、始動記憶に基づいて、表示装置５８にて特図変動表示ゲーム（補助遊技）を行う。
【００５５】
始動入賞口３４に遊技球の入賞又は始動記憶があると、表示装置５８では、前述した数字等で構成される識別情報（特別図柄）が左（第一識別情報）、右（第二識別情報）、中（第三識別情報）の順に変動表示を開始して、特図変動表示ゲームに関する画像が表示される。つまり、表示装置５８では、始動記憶の記憶数に対応する回数だけ、特図変動表示ゲームが行われ、興趣向上のために多様な表示を演出する。
【００５６】
始動入賞口３４への入賞が所定のタイミングでなされたとき（具体的には、入賞検出時の当たり乱数値が当たり値であるとき）には特図変動表示ゲームの結果として表示図柄により特定の結果態様（特別結果態様）が導出されて、大当たり状態となる。具体的には、図示しない特図表示器では、当たり図柄である一桁の特別図柄で停止して、表示装置５８は、三つの特別図柄が揃った状態（大当り図柄）で停止する。このとき、特別変動入賞装置３６の大入賞口は、所定の時間（例えば、３０秒）だけ、遊技球を受け入れない閉状態から遊技球を受け入れやすい開状態に変換されることを所定回数だけ繰り返す大当り状態（特別遊技状態）となる。すなわち、特別変動入賞装置３６が所定の時間又は所定数の遊技球が入賞するまで大きく開くので、この間遊技者は多くの遊技球を獲得することができるという特典が付与される。
【００５７】
特別変動入賞装置３６の大入賞口への遊技球の入賞は、図示しないカウントセンサによって検出される。
【００５８】
普通図柄始動ゲート３１への遊技球の通過は、図示しない普通図柄始動ゲートセンサによって検出される。この遊技球の通過タイミングによって抽出された普通図柄乱数カウンタ値は、遊技機５内の普図記憶領域に普通図柄入賞記憶として所定回数（例えば、最大で４回分）を限度に記憶される。そして、普通図柄入賞記憶の記憶された個数は図示しない普図表示器に表示される。
【００５９】
普図入賞記憶があると、遊技機５は、普図入賞記憶に基づいて図示しない普図表示器で普図変動表示ゲームを開始する。すなわち、普通図柄始動ゲート３１への通過検出が所定のタイミングでなされたとき（具体的には、通過検出時の普図乱数カウンタ値が当たり値であるとき）には、普図表示器に表示される普通図柄が当たり状態で停止し、当たり状態となる。このとき、普通変動入賞装置３３は、始動入賞口３４への入口が所定の時間だけ開放するように変換されるため、始動入賞口３４は、遊技球が入賞しやすい状態となる。なお、普通変動入賞装置３３の開放時間は、例えば、確率変動状態及び変動時間短縮状態では２．９秒間、通常遊技状態では０．５秒間として、遊技状態に応じて開放態様が変化するようにしてもよい。
【００６０】
このようにして、一般入賞口３２、始動入賞口３４、又は特別変動入賞装置３６に遊技球が入賞すると、入賞した入賞口の種類に応じた賞球数の遊技球が賞球として払い出される。
【００６１】
また、入賞した遊技球やアウト口３９によって回収された遊技球は、遊技機裏面側からアウトタンク４３に排出される。アウトタンク４３に排出された遊技球は、回収球として計数された後に島設備に回収される。この回収球は、図示しない揚送装置により島設備の上部に揚送され、再度補給球として島設備に配設されている遊技機５に分配される。なお、アウトタンク４３は、所定数（例えば、１０個）の遊技球を計数する毎に、回収信号を情報収集端末装置３に出力する。
【００６２】
ガラス枠１８のカバーガラスの周囲には、装飾光が発光される装飾部材１６が備えられている。この装飾部材１６の内部にはランプやＬＥＤ等からなる図示しない装飾装置が備えられている。この装飾装置を所定の発光態様によって発光することによって、装飾部材１６が所定の発光態様によって発光する。また、ガラス枠１８の上方には照明ユニット３７が備えられている。
【００６３】
前面枠１９の下部の開閉パネル２０には図示しない発射装置に遊技球を供給する上皿２１が、固定パネル２２には灰皿２９、下皿２３及び図示しない発射装置の操作部２４等が備えられている。
【００６４】
また、遊技者が操作部２４を回動操作することによって、図示しない発射装置は、上皿２１から供給される遊技球を発射する。
【００６５】
また、上皿２１の上縁部には、遊技者からの操作入力を受け付けるためのセレクトボタン４４及び演出ボタン４１が備えられている。
【００６６】
遊技者がセレクトボタン４４を操作することによって、表示装置５８における特図変動表示ゲームの演出内容を選択することができる。また、遊技者が演出ボタン４１を操作することによって、表示装置５８における特図変動表示ゲームに、遊技者の操作を介入させた演出を行うことができる。
【００６７】
上皿２１の右上部には、遊技者が有価価値を消費して遊技媒体を借りる場合に操作する貸出ボタン２６、及び、記憶媒体受付端末装置６からカード（ワンデイカード、会員カード等）を排出させるために操作される排出ボタン２７が設けられている。これらのボタン２６、２７の間には、会員カードやワンデイカード等のカードに記憶された残高を表示する残高表示部２８が設けられる。
【００６８】
また、下皿２３には、下皿２３に貯留された遊技球を排出するための下皿球抜き機構４２が備えられる。
【００６９】
前面枠１９の下部右側には、ガラス枠１８を施錠するための鍵２５が備えられている。
【００７０】
次に、記憶媒体受付端末装置６の構成について説明する。
【００７１】
記憶媒体受付端末装置６は、カード挿入口６１、表示装置６２、紙幣挿入口６３、状態表示部６４、払出口６６、及び球払出案内装置６７を備える。
【００７２】
カード挿入口６１は、記憶媒体受付端末装置６の表示装置６２の下方に設けられる。カード挿入口６１には、ワンデイカード又は会員カード等のカードが挿入される。
【００７３】
表示装置６２は、記憶媒体受付端末装置６の中央付近に設けられる。表示装置６２は、表示部６２１及び操作部６２２を備える。
【００７４】
操作部６２２は、中断スイッチ６２２１、及びカードＩＤクリアスイッチ６２２２を備える。
【００７５】
中断スイッチ６２２１は、遊技者が食事など遊技用装置４の前を離れる場合（つまり、遊技を中断する場合）に操作されるスイッチである。記憶媒体受付端末装置６は、中断スイッチ６２２１が操作されると、カード挿入口６１に挿入されているカードのカードＩＤを記憶してからカードを排出する。そして、カード挿入口６１にカードが新たに挿入されても、挿入されたカードのカードＩＤとカード排出時に記憶されたカードＩＤとが一致しなければ、新たに挿入されたカードを排出し、排出時に記憶されたカードＩＤ以外のカード以外での遊技を禁止する。
【００７６】
カードＩＤクリアスイッチ６２２２は、中断スイッチ６２２１が操作された場合に記憶されるカードＩＤを消去する場合に操作される。
【００７７】
なお、本実施形態では、貯球と貸球を区別しているが、貯球を球数データとして記憶せずに、有価価値に変換して記憶しておき、貯球を再使用する場合に、有価価値を消費して遊技球を払い出すようにすれば、貯球も貸球と言うことができる。
【００７８】
表示部６２１は、カード情報表示画面、大当たり情報表示画面、残高情報表示画面、及びグループ登録画面（図９Ａ及び図９Ｂ参照）等を表示する。カード情報表示画面では、カード挿入口６１に挿入されたワンデイカード又は会員カードに記憶された情報（会員情報）が表示される。大当たり情報表示画面では、遊技機５において所定期間の間に実行された特図変動表示ゲームの回数及び特図変動表示ゲームの結果が大当たりである回数が表示される。
【００７９】
残高情報表示画面では、カード挿入口６１に挿入されたワンデイカード又は会員カードに記憶された有価価値、又は、カードが挿入されない状態で、紙幣挿入口６３に紙幣が挿入されることにより、記憶媒体受付端末装置６内にストックされたカードに記憶された有価価値の残高が表示される。
【００８０】
図９Ａ及び図９Ｂに示すグループ登録画面では、遊技媒体（遊技球又はメダル）を共有する遊技者によって構成されるグループを登録したり、登録されたグループにメンバーを追加したりする。
【００８１】
表示部６２１は、タッチパネルになっており、画面上に表示されたボタン等が操作されることによって、記憶媒体受付端末装置６への入力が行われる。
【００８２】
紙幣挿入口６３は、記憶媒体受付端末装置６の表示装置６２の上方に設けられる。紙幣挿入口６３には、紙幣が挿入される。
【００８３】
紙幣挿入口６３の上方には、状態表示部６４が設けられる。状態表示部６４は、記憶媒体受付端末装置６の動作に対応して色を変化させる。例えば、記憶媒体受付端末装置６が利用可能状態である場合には、状態表示部６４は緑色に点灯し、記憶媒体受付端末装置６のカード挿入口６１にカードが挿入されている間、状態表示部６４は赤色に点灯する。
【００８４】
遊技者が所有する有価価値又は遊技媒体（各台計数器６８や後述のジェットカウンタによって計数された獲得球、貯球など）を使用して遊技を行う場合には、記憶媒体受付端末装置６が遊技球を払い出す。具体的には、記憶媒体受付端末装置６のカード挿入口６１の上部に払出口６６が設けられ、払出口６６から遊技球が払い出される。払出口６６から払い出された遊技球は、球払出案内装置６７によって、上皿２１に案内される。
【００８５】
続いて、各台計数器６８の構成について説明する。
【００８６】
各台計数器６８は、遊技機５の下皿球抜き機構４２の下方に設けられる。各台計数器６８は、下皿球抜き機構４２が操作されることによって導入された遊技球を計数する。計数された遊技球は、アウトタンク４３に排出された遊技球と同様に、回収球として計数された後に島設備に回収される。
【００８７】
なお、遊技場内にジェットカウンタが設置されていれば、各台計数器６８を各遊技用装置４に備えるようにしなくてもよい。また、本実施形態の記憶媒体受付端末装置６は、紙幣の挿入を受け付ける機能を備える機能は備えなくてもよく、カードの挿入を受け付けるものであればよい。さらに、紙幣の挿入により、球貸しをして、払出口６６から遊技球を払い出す、所謂現金球貸機でもよい。
【００８８】
次に、遊技用装置４から出力される信号について説明する。
【００８９】
まず、遊技機５から出力される各種信号について説明する。
【００９０】
遊技機５から情報収集端末装置３に、以下のような遊技に関わる信号が入力される。
【００９１】
遊技機５は、一般入賞口３２又は特別変動入賞装置３６の大入賞口に遊技球が入賞したことによって、入賞した入賞口の種類に応じた数の賞球を、図示しない排出装置から上皿２１に排出する。そして、所定数の賞球を排出する毎に「賞球信号」（例えば、１０個で１パルスのパルス信号）を遊技データとして出力する。
【００９２】
また、遊技機５は、特図変動表示ゲームの結果が特別遊技状態のときは、当該特別遊技状態中に「特賞信号」を遊技データとして出力する。
【００９３】
また、遊技機５は、当該特別遊技状態の後に発生する特定遊技状態（確率変動状態・時短状態）中に、「確変・時短信号」を遊技データとして出力する。
【００９４】
また、遊技機５は、始動入賞口３４への遊技球の入賞によって「始動入賞信号」を遊技データとして出力し、特図変動表示ゲームを開始すると、特図変動表示ゲームを開始する毎に「スタート信号」を遊技データとして出力する。
【００９５】
また、遊技機５は、ガラス枠１８が開放されたことを検出した場合、又は前面枠１９が開放されたことを検出した場合、「ガラス枠／前面枠開放検出信号（枠開放検出信号）」を出力する。
【００９６】
また、遊技機５から出力される信号（遊技データ）には、特図変動表示ゲームが終了したときに出力される「図柄確定信号」等もある。
【００９７】
これらの信号を受信した情報収集端末装置３は、受信した信号に応じて遊技機５の状態を設定したり、データを加算したり、累積値を集計したりする。なお、集計した累積値を収集データという。情報収集端末装置３は、これらの信号が入力された場合には、遊技場管理装置１に対応する遊技データを出力する。
【００９８】
次に、記憶媒体受付端末装置６から情報収集端末装置３へ出力される各種信号について説明する。
【００９９】
記憶媒体受付端末装置６は、カード挿入口６１にカードが挿入された場合、挿入されたカードに記憶された各種データを読み取り、読み取ったデータを記憶する。
【０１００】
記憶媒体受付端末装置６は、遊技機５に備わる貸出ボタン２６が操作され、遊技者が所有する有価価値（カードに記憶された残額）から所定数（例えば、２５個の）の遊技球を払い出す毎に「貸出情報」（球貸信号）を情報収集端末装置３へ送信する。
【０１０１】
記憶媒体受付端末装置６は、貯球から所定数（例えば、２５個）の遊技球を払い出す毎に「貯球払出情報」を情報収集端末装置３へ出力する。また、記憶媒体受付端末装置６は、獲得球から所定数（例えば、２５個）の遊技球を払い出す毎に「獲得球払出情報」を情報収集端末装置３へ出力する。なお、「貯玉払出情報」及び「獲得球払出情報」を総称して「払出情報」という。
【０１０２】
記憶媒体受付端末装置６の紙幣挿入口６３に紙幣が挿入された場合には、挿入された紙幣の金額を特定して、特定した金額を「入金情報」（入金信号、第１の紙幣受付情報）として情報収集端末装置３へ出力する。
【０１０３】
次に、記憶媒体受付端末装置６から会員管理装置１７へ送信される各種情報について説明する。
【０１０４】
記憶媒体受付端末装置６は、会員管理装置１７から接続確認要求を受信した場合には、接続確認要求に対応する接続確認応答を会員管理装置１７へ送信する。換言すると、記憶媒体受付端末装置６は、会員管理装置１７と接続確認情報を通信する。
【０１０５】
記憶媒体受付端末装置６は、情報収集端末装置３へ「入金情報」（第１の紙幣受付情報）を出力する場合に、挿入された紙幣の金額を示す金額情報（第２の紙幣受付情報）を会員管理装置１７にも送信する。
【０１０６】
記憶媒体受付端末装置６は、カード挿入口６１にカードが挿入された場合、挿入されたカードに記憶されているカードＩＤを読み取り、読み取ったカードＩＤを「カード情報」として会員管理装置１７へ送信する。
【０１０７】
記憶媒体受付端末装置６は、情報収集端末装置３へ「貸出情報」又は「払出情報」を出力する場合に、「貸出情報」又は「払出情報」を会員管理装置１７にも送信する。「入金情報」、「貸出情報」及び「払出情報」をあわせて図１に示した「球貸・入金情報」に対応する。
【０１０８】
図３は、本発明の実施形態の遊技場管理装置１の構成を示すブロック図である。
【０１０９】
遊技場管理装置１には、ＣＰＵ１０１、プログラム等を予め格納したＲＯＭ１０２、ＣＰＵ１０１の動作時にワークエリアとして使用されるメモリであるＲＡＭ１０３、及び、各種データを記憶するハードディスク等の記憶装置（ＨＤＤ）１０４が設けられている。
【０１１０】
ＲＡＭ１０３は、各種データを一時的に記憶する記憶領域及びＣＰＵ１０１の動作に必要なデータが一時的に記憶される作業領域を備える。また、ＲＯＭ１０２にプログラムを記憶する代わりに、ＨＤＤ１０４にプログラムを保存し、ＲＡＭ１０３にプログラムをコピーしＲＡＭ１０３でプログラムを動作させることも可能である。
【０１１１】
これらのＣＰＵ１０１、ＲＯＭ１０２、ＲＡＭ１０３及びＨＤＤ１０４はバス１０５によって接続されている。バス１０５は、ＣＰＵ１０１がデータの読み書きのために使用するアドレスバス及びデータバスから構成されている。
【０１１２】
バス１０５には、外部との入出力を司るネットワーク通信ポート１０６及びＩ／Ｏポート１０７が接続されている。
【０１１３】
ネットワーク通信ポート１０６は、所定の通信プロトコルに従ってデータ通信を行うためのデータ入出力部である。
【０１１４】
具体的には、遊技場管理装置１には、ネットワーク通信ポート１０６を介して、会員管理装置１７、情報収集端末装置３、呼出しランプ８、及びコーナーランプ７が接続されている。
【０１１５】
Ｉ／Ｏポート１０７には、入力装置１１０、出力装置１１１、及びＵＰＳ（uninterruptible power supply）１１２が接続される。入力装置１１０は、遊技場管理装置１に管理者がデータを入力するための装置であり、例えば、マウス、キーボード等である。また、出力装置１１１は、例えば、ディスプレイ等である。ＵＰＳ１１２は、停電が発生した場合に、遊技場管理装置１に電源を供給するための装置である。
【０１１６】
なお、遊技場管理装置１と会員管理装置１７とがシリアル接続される場合には、遊技場管理装置１は、Ｉ／Ｏポート１０７を介して、会員管理装置１７と接続される。
【０１１７】
図４は、本発明の実施形態の会員管理装置１７の構成を示すブロック図である。
【０１１８】
会員管理装置１７には、ＣＰＵ１７０１、プログラム等を予め格納したＲＯＭ１７０２、ＣＰＵの動作時にワークエリアとして使用されるメモリであるＲＡＭ１７０３、及び、各種データを記憶するハードディスク等の記憶装置（ＨＤＤ）１７０４が設けられている。
【０１１９】
ＲＡＭ１７０３は、各種データを一時的に記憶する記憶領域及びＣＰＵ１７０１の動作に必要なデータが一時的に記憶される作業領域を備える。また、ＲＯＭ１７０２にプログラムを記憶する代わりに、ＨＤＤ１７０４にプログラムを保存し、ＲＡＭ１７０３にプログラムをコピーしＲＡＭ１７０３でプログラムを動作させることも可能である。
【０１２０】
これらのＣＰＵ１７０１、ＲＯＭ１７０２、ＲＡＭ１７０３及びＨＤＤ１７０４はバス１７０５によって接続されている。バス１７０５は、ＣＰＵ１７０１がデータの読み書きのために使用するアドレスバス及びデータバスから構成されている。
【０１２１】
バス１７０５には、外部との入出力を司るネットワーク通信ポート１７０６及びＩ／Ｏポート１７０７が接続されている。
【０１２２】
ネットワーク通信ポート１７０６は、所定の通信プロトコルに従ってデータ通信を行うためのデータ入出力部である。
【０１２３】
具体的には、会員管理装置１７には、ネットワーク通信ポート１７０６を介して、遊技場管理装置１、残額精算機１５、及び記憶媒体受付端末装置６が接続されている。
【０１２４】
Ｉ／Ｏポート１７０７には、入力装置１７１０、出力装置１７１１、及びＵＰＳ（uninterruptible power supply）１７１２が接続される。入力装置１７１０は、会員管理装置１７に管理者がデータを入力するための装置であり、例えば、マウス、キーボード等である。また、出力装置１７１１は、例えば、ディスプレイ等である。ＵＰＳ１７１２は、停電が発生した場合に、会員管理装置１７に電源を供給するための装置である。
【０１２５】
なお、遊技場管理装置１と会員管理装置１７とがシリアル接続される場合には、会員管理装置１７は、Ｉ／Ｏポート１７０７を介して、遊技場管理装置１と接続される。
【０１２６】
図５は、本発明の実施形態の記憶媒体受付端末装置６の構成を示すブロック図である。
【０１２７】
記憶媒体受付端末装置６には、ＣＰＵ６０１、プログラム等を予め格納したＲＯＭ６０２、及び、ＣＰＵの動作時にワークエリアとして使用されるメモリであるＲＡＭ６０３が設けられている。
【０１２８】
ＲＡＭ６０３は、各種データを一時的に記憶する記憶領域及びＣＰＵ６０１の動作に必要なデータが一時的に記憶される作業領域を備える。
【０１２９】
これらのＣＰＵ６０１、ＲＯＭ６０２、及びＲＡＭ６０３はバス６０５によって接続されている。バス６０５は、ＣＰＵ６０１がデータの読み書きのために使用するアドレスバス及びデータバスから構成されている。
【０１３０】
バス６０５には、外部との入出力を司るネットワーク通信ポート６０６及びＩ／Ｏポート６０７が接続されている。
【０１３１】
ネットワーク通信ポート６０６は、所定の通信プロトコルに従ってデータ通信を行うためのデータ入出力部である。
【０１３２】
具体的には、記憶媒体受付端末装置６には、ネットワーク通信ポート６０６を介して、会員管理装置１７が接続されている。
【０１３３】
Ｉ／Ｏポート６０７には、利用可ＬＥＤ６４１、カード挿入中ＬＥＤ６４２、紙幣挿入口６３、表示装置６２、カードリーダ・ライタ（カードＲ／Ｗ）６１０、カードストッカ６１３、及び各台計数器６８が接続される。
【０１３４】
利用可ＬＥＤ６４１及びカード挿入中ＬＥＤ６４２は、状態表示部６４を構成するものであり、利用可ＬＥＤ６４１は、記憶媒体受付端末装置６が利用可能状態である場合に緑色に点灯し、カード挿入中ＬＥＤ６４２は、カード挿入口６１にカードが挿入されている間、状態表示部６４は赤色に点灯する。
【０１３５】
カードＲ／Ｗ６１０は、カード挿入口６１に挿入されたカードに記憶されたデータを読み取るとともに、カード挿入口６１に挿入されたカードにデータを書き込む。カードストッカ６１３は、ワンデイカード等をストックしている。
【０１３６】
図６は、本発明の遊技システムによって実行されるグループ登録処理、共有開始処理、及び共有参加処理のシーケンス図である。
【０１３７】
会員管理装置１７は、所定時間周期で遊技場に設置された記憶媒体受付端末装置６にポーリングを行う（６０１）。
【０１３８】
具体的には、会員管理装置１７は、所定時間周期で接続確認要求を記憶媒体受付端末装置６に送信する。
【０１３９】
そして、記憶媒体受付端末装置６は、接続確認要求を受信すると、受信した接続確認要求に対する応答である接続確認応答を会員管理装置１７に送信する（６０２）。
【０１４０】
ステップ６０３〜６０６の処理で、グループ登録処理について説明する。
【０１４１】
まず、記憶媒体受付端末装置６は、図９Ａ及び図９Ｂに示すグループ登録画面を表示装置６２の表示部６２１に表示し、グループ登録指示を受け付ける（６０３）。グループを新規登録する場合のグループ登録指示は、グループ名、グループ登録を行っている遊技者のカードＩＤ（基準カードＩＤ）、及びグループに登録される遊技者のカードＩＤ（追加カードＩＤ）を指示するものである。新たなメンバーを既存のグループに追加登録する場合のグループ登録指示は、追加登録を行うグループ名、及び追加登録される遊技者のカードＩＤ（追加カードＩＤ）を指示するものである。
【０１４２】
記憶媒体受付端末装置６は、ステップ６０３の処理でグループ登録指示された情報をグループ情報として会員管理装置１７に送信する（６０４）。
【０１４３】
会員管理装置１７は、グループ情報を受信すると、受信したグループ情報を図８Ｂに示すグループテーブル８５０に登録する（６０５）。ステップ６０５の処理で、受信したグループ情報のグループテーブル８５０への登録が成功した場合には、会員管理装置１７は、グループ登録が成功したことを示すグループ登録情報を記憶媒体受付端末装置６に送信する（６０６）。一方、ステップ６０５の処理で、受信したグループ情報のグループテーブル８５０への登録が失敗した場合には、会員管理装置１７は、グループ登録が失敗したことを示すグループ未登録情報を記憶媒体受付端末装置６に送信する（６０６）。
【０１４４】
ステップ６０７〜６１８の処理で、共有開始処理について説明する。
【０１４５】
記憶媒体受付端末装置６は、図１４のＳＴＥＰ２１に示すメイン画面９１０で共有ボタン９１３が操作されると、図１４のＳＴＥＰ２２に示す共有開始参加選択画面１４１０が表示され、共有開始処理を実行することとなる（６０７）。
【０１４６】
図１４のＳＴＥＰ２２に示す共有開始参加選択画面１４１０で開始ボタン１４１２が操作されると、記憶媒体受付端末装置６は、当該記憶媒体受付端末装置６に挿入されたカードを所持する遊技者が属するグループのメンバーの口座情報を要求する貯玉要求情報を会員管理装置１７に送信する（６０８）。
【０１４７】
会員管理装置１７は、貯玉要求情報を受信すると、図８Ａに示す会員データベース８００及び図８Ｂに示すグループテーブル８５０を参照し、当該記憶媒体受付端末装置６に挿入されたカードを所持する遊技者が属するグループのメンバーの口座情報を取得し、取得した口座情報をグループ貯玉情報として記憶媒体受付端末装置６に送信する（６０９）。
【０１４８】
記憶媒体受付端末装置６は、グループ貯玉情報を受信すると、図１４のＳＴＥＰ２３に示す共有口座選択画面１４２０を表示装置６２の表示部６２１に表示し、利用口座となるメンバーの口座を遊技者に選択させる。利用口座となるメンバーの口座が選択されると、記憶媒体受付端末装置６は、共有開始情報を送信する（６１０）。
【０１４９】
会員管理装置１７は、共有開始情報を受信すると、受信した共有開始情報に基づいて、図８Ｂに示すグループテーブル８５０を更新する（６１１）。そして、会員管理装置１７は、グループテーブル８５０を更新すると、共有開始登録情報を記憶媒体受付端末装置６に送信する（６１２）。
【０１５０】
次に、会員管理装置１７は、利用玉数を遊技者に選択させるための玉数要求情報を、利用口座に選択されたメンバーのカードが挿入されている記憶媒体受付端末装置６に送信する（６１３）。
【０１５１】
玉数要求情報を受信した記憶媒体受付端末装置６は、図１５のＳＴＥＰ３１に示す利用玉数設定画面１５１０を表示装置６２の表示部６２１に表示する。そして、利用玉数が設定されると、記憶媒体受付端末装置６は、利用玉数情報を会員管理装置１７に送信する（６１４）。
【０１５２】
会員管理装置１７は、利用玉数情報を受信すると、受信した利用玉数情報を登録し（６１５）、利用玉数情報が登録されたことを示す利用数登録数情報を送信する（６１６）。
【０１５３】
次に、会員管理装置１７は、共有が開始されたことを示す共有中情報を遊技場管理装置１に送信する（６１７）。
【０１５４】
遊技場管理装置１は、共有中情報を受信すると、受信した共有中情報を登録する（６１８）。
【０１５５】
ステップ６１９〜６２５の処理で、共有参加処理について説明する。
【０１５６】
図１４のＳＴＥＰ２２に示す共有開始参加選択画面１４１０（図１６のＳＴＥＰ２２に示す共有参加選択画面１４１０）で参加ボタン１４１３が操作されると、記憶媒体受付端末装置６は、図１６のＳＴＥＰ４２に示す参加グループ選択画面１６１０を表示する（６１９）。参加グループ選択画面１６１０には、カード挿入口６１に挿入されているカードのカードＩＤが登録され、共有が行われているグループのうち、一つのグループが表示される。
【０１５７】
参加グループ選択画面１６１０に表示されたグループの共有に参加する場合、つまり、参加グループ選択画面１６１０の確定ボタン１６１２が操作された場合、記憶媒体受付端末装置６は、当該参加するグループＩＤ、及び当該記憶媒体受付端末装置６に挿入されたカードＩＤを含む共有参加情報を、会員管理装置１７に送信する（６２０）。
【０１５８】
会員管理装置１７は、共有参加情報を受信すると、受信した共有参加情報を登録し（６２１）、共有参加情報が登録されたことを示す共有参加登録情報を記憶媒体受付端末装置６に送信する（６２２）。そして、会員管理装置１７は、共有参加情報が登録されたグループに属するメンバーのカードが挿入された記憶媒体受付端末装置６の表示装置６２の表示部６２１に、新たなメンバーが共有に参加したことを示す画面を表示させるための共有参加通知情報を送信する（６２３）。そして、会員管理装置１７は、共有中情報を遊技場管理装置１に送信する（６２４）。
【０１５９】
遊技場管理装置１は、共有中情報を受信すると、受信した共有中情報を登録する（６２５）。
【０１６０】
図７は、本発明の実施形態の遊技システムによって実行される共有再プレイ処理、計数情報更新処理、共有中断処理、及び共有終了処理のシーケンス図である。
【０１６１】
表示装置６２の表示部６２１に表示される再プレイボタン９０５（再プレイボタン９０５は常に表示部６２１に表示されている）が操作されると（７０１）、記憶媒体受付端末装置６は、共有再プレイ情報及び当該記憶媒体受付端末装置６に挿入されたカードＩＤを会員管理装置１７に送信する（７０２）。
【０１６２】
会員管理装置１７は、再プレイボタン９０５が操作されたことによって消費される共有玉数を減算更新し（７０３）、共有玉残数情報１を送信する（７０４）。
【０１６３】
記憶媒体受付端末装置６は、共有玉残数情報１を受信すると、再プレイボタン９０５の操作によって払い出される数の遊技球を払い出す（７０５）。
【０１６４】
ステップ７０６〜７０９の処理で、計数情報更新処理について説明する。
【０１６５】
遊技者が遊技の結果獲得した遊技球を各台計数器６８が計数すると、記憶媒体受付端末装置６は、記憶媒体受付端末装置６が管理する遊技者の持ち玉数データを更新する（７０６）。
【０１６６】
そして、更新された持ち玉数データが所定値よりも大きくなると、記憶媒体受付端末装置６は、所定値から超えた分の持ち玉数データを計数情報として会員管理装置１７に送信する（７０７）。
【０１６７】
会員管理装置１７は、計数情報を受信すると、受信した計数情報に基づいて、図８Ａに示す会員データベース８００を更新し（７０８）、共有玉数情報２を記憶媒体受付端末装置６に送信する（７０９）。
【０１６８】
なお、ステップ７０７において記憶媒体受付端末装置６は持ち玉数データが所定値を超えると計数情報を会員管理装置１７に送信するようにしたが、これに限らず、持ち玉数データが所定値に達した場合に計数情報を会員管理装置１７に送信するようにしてもよい。また、遊技者が遊技を中断や終了する操作（すなわち、記憶媒体受付端末装置６からカードを排出する操作）を行った場合に、持ち玉数データを会員管理装置１７に送信するようにしたり、特別遊技状態が発生するなどのイベントが発生した場合に持ち玉数データを会員管理装置１７に送信するようにしたりしてもよい。
【０１６９】
ステップ７１０〜７１６の処理で、共有中断処理を説明する。
【０１７０】
図２６のＳＴＥＰ６２に示す共有終了確認画面２６１０で中断ボタン２６１１が操作されると（７１０）、記憶媒体受付端末装置６は、共有中断情報及び当該記憶媒体受付端末装置６に挿入されたカードのカードＩＤを会員管理装置１７に送信する（７１１）。
【０１７１】
会員管理装置１７は、共有中断情報を受信すると、図８Ｂに示すグループテーブル８５０に共有中断情報を登録し（７１２）、共有中断情報が登録されたことを示す共有中断登録情報を記憶媒体受付端末装置６に送信する（７１３）。
【０１７２】
次に、記憶媒体受付端末装置６は、中断ボタン２６１１が操作されたときに記憶されたカードＩＤと同じカードＩＤのカードが挿入された場合に中断が解除されたと判断し、中断解除情報及びカードＩＤを会員管理装置１７に送信する（７１４）。
【０１７３】
会員管理装置１７は、中断解除情報を受信すると、ステップ７１２の処理で登録された共有中断情報を解除し（７１５）、中断が解除されたことを示す中断解除完了情報を記憶媒体受付端末装置６に送信する（７１６）。
【０１７４】
ステップ７１７〜７２２の処理で、共有終了処理について説明する。
【０１７５】
図２６のＳＴＥＰ６２に示す共有終了確認画面２６１０で終了ボタン２６１２が操作されると（７１７）、記憶媒体受付端末装置６は、共有終了情報及び当該記憶媒体受付端末装置６に挿入されたカードのカードＩＤを会員管理装置１７に送信する（７１８）。
【０１７６】
会員管理装置１７は、共有終了情報を受信すると、図８Ｂに示すグループテーブル８５０に共有終了情報を登録し（７１９）、共有終了情報が登録されたことを示す共有終了登録情報を記憶媒体受付端末装置６に送信する（７２０）。
【０１７７】
そして、会員管理装置１７は、共有が終了したことを示す共有停止情報を遊技場管理装置１に送信する（７２１）。遊技場管理装置１は、共有停止情報を受信すると、共有中情報をクリアする（７２２）。
【０１７８】
図８Ａは、本発明の実施形態の会員データベース８００の説明図である。
【０１７９】
会員データベース８００は、カードＩＤとカードＩＤが記憶されたカードを所持する会員が所有する遊技媒体数情報とを関連付けた口座情報を管理する。
【０１８０】
具体的には、会員データベース８００は、カードＩＤ８０１、残金８０２、貯玉（ＰＢ）８０３、貯玉（ＧＰ）８０４、当日貯玉（ＰＢ）８０５、当日貯玉（ＧＰ）８０６、及び獲得玉（持ち玉）８０７を含む。
【０１８１】
なお、貯玉（ＰＢ）８０３、当日貯玉（ＰＢ）８０５、獲得玉８０７と分けているのは、遊技球の再使用（再プレイ）の場合の手数料を変えられるようにするためであり、獲得玉８０７は、遊技球を再使用する際に手数料を取らないものであり、当日貯玉（ＰＢ）８０５は、遊技球を再使用する際に取られる手数料が貯玉（ＰＢ）８０３の手数料より少ないものである。従って手数料が同じであれば分けなくともよい。また、説明の簡略化のために省略したが、貯メダル、当日貯メダル、獲得メダルを設けてもよいし、これらのデータ項目を取捨選択して必要なものだけ使用するようにしてもよい。
【０１８２】
遊技媒体数情報は、当該遊技媒体数情報に関連付けられたカードＩＤが記憶されたカードを所有する遊技者のみが使用可能な個人遊技媒体数情報と、グループに属する遊技者が使用可能な共有遊技媒体数情報と、に分けて管理される。
【０１８３】
個人遊技媒体数情報は、貯玉（ＰＢ）８０３、当日貯玉（ＰＢ）８０５及び獲得玉８０７である。共有遊技媒体数情報は、貯玉（ＧＰ）８０４及び当日貯玉（ＧＰ）８０６である。
【０１８４】
カードＩＤ８０１には、カードの一意な識別子であるカードＩＤが登録される。残金８０２には、遊技者が入金した金額のうち、遊技にまだ使用されていない残金が登録される。
【０１８５】
貯玉（ＰＢ）８０３には、遊技者が本営業日よりも前の営業日に精算した結果、遊技場に預け入れられた遊技球数が登録される。貯玉（ＧＰ）８０４には、貯玉（ＰＢ）８０３に登録された遊技球数のうちグループに属するメンバーに使用可能にする遊技球数が登録される。
【０１８６】
当日貯玉（ＰＢ）８０５には、遊技者が本営業日に精算した結果、遊技場に預け入れられた遊技球数が登録される。当日貯玉（ＧＰ）８０６には、当日貯玉（ＰＢ）８０５に登録された遊技球数のうちグループに属するメンバーに使用可能にする遊技球数が登録される。
【０１８７】
獲得玉８０７には、遊技者が本営業日の遊技の結果、獲得した遊技球数のうち未精算の遊技球数が登録される。
【０１８８】
通常、遊技球はパチンコ機による遊技に用いられる。また、貯メダル、当日貯メダル、獲得メダル等を登録するようにしてもよく、その場合のメダルはパチスロ機による遊技に用いられる。
【０１８９】
なお、図８Ａの上方の会員データベース８００は、利用玉数が設定される前のデータベースであり、図８Ａの下方の会員データベース８００は、利用玉数が設定された後のデータベースである。
【０１９０】
この場合、カードＩＤ「Ａ００００１」の貯玉（ＰＢ）８０３の「９０００」個が利用玉数に設定されるので、貯玉（ＰＢ）８０３から「９０００」を減算し、当日貯玉（ＧＰ）８０６に「９０００」を加算することによって、利用玉数を個人遊技媒体数から共有遊技媒体数へ移行する。
【０１９１】
図８Ｂは、本発明の実施形態のグループテーブル８５０の説明図である。
【０１９２】
グループテーブル８５０は、グループとして登録されたカードＩＤ同士を関連付けて記憶するテーブルである。
【０１９３】
グループテーブル８５０は、グループＩＤ８５１、カードＩＤ８５２、及び状態８５３を含む。
【０１９４】
グループＩＤ８５１には、新規登録されたグループＩＤが登録されている。カードＩＤ８５２には、グループに属するメンバーが所持するカードのカードＩＤが登録されている。
【０１９５】
状態８５３には、共有が実行中であることを示す「共有中」、カードが挿入されているにもかかわらず、共有が実行されていない状態を示す「挿入」、カードが挿入されていない状態を示す「未挿入」などが登録される。
【０１９６】
図９Ａは、本発明の実施形態のグループ登録時に表示装置６２に表示されるグループ登録画面の前半部の説明図である。図９Ｂは、本発明の実施形態のグループ登録時に表示装置６２に表示されるグループ登録画面の後半部の説明図である。
【０１９７】
記憶媒体受付端末装置６の表示装置６２の表示部６２１には、メイン画面９１０が表示されている（ＳＴＥＰ１）。
【０１９８】
メイン画面９１０では、台データボタン９１１、個人データボタン９１２、共有ボタン９１３、グループボタン９１４、メインボタン９０１、ＴＶボタン９０２、上ボタン９０３、下ボタン９０４、及び再プレイボタン９０５が表示される。
【０１９９】
なお、メインボタン９０１、ＴＶボタン９０２、上ボタン９０３、下ボタン９０４、及び再プレイボタン９０５は、図９Ａ及び図９Ｂで示すすべての表示画面で表示されている。
【０２００】
台データボタン９１１が操作されると、記憶媒体受付端末装置６に対応する遊技機５、及び当該遊技機５に隣接する遊技機５における遊技履歴（例えば、始動入賞口３４への入賞回数や特別遊技状態の発生回数など）が表示される。
【０２０１】
個人データボタン９１２が操作されると、記憶媒体受付端末装置６のカード挿入口６１に挿入されたカードの遊技者の遊技データ（貯球数、当日貯球数、獲得球数など）が表示される。
【０２０２】
共有ボタン９１３が操作されると、グループに登録されている遊技者の口座情報を共有する共有開始処理、又は、グループに登録されている遊技者の口座情報を共有する遊技に参加する共有参加処理が実行される。共有開始処理及び共有参加処理は、図１７〜図２２で詳細を説明する。
【０２０３】
グループボタン９１４が操作されると、遊技者をグループに登録するグループ設定処理が実行される。グループ設定処理は、図１１〜図１３で詳細を説明する。
【０２０４】
メインボタン９０１が操作されると、メイン画面９１０が表示される。ＳＴＥＰ１では、メイン画面９１０が表示されているので、メインボタン９０１は無効化されている。
【０２０５】
ＴＶボタン９０２が操作されると、表示装置６２の表示部６２１にはテレビが表示される。
【０２０６】
上ボタン９０３が操作されると、選択領域が上方向に移動する。なお、選択領域は表示画面に表示された何らかのボタンを選択するものであり、選択領域により選択されているボタンが色付きで表示される。下ボタン９０４が操作されると、選択領域が下方向に移動する。なお、表示部６２１にテレビが表示されている場合には、上ボタン９０３および下ボタン９０４がテレビのチャンネルを切り替えるためのチャンネル切替ボタンとして機能する。
【０２０７】
再プレイボタン９０５が操作されると、共有された遊技媒体を消費して、予め設定された数の遊技媒体を払い出す共有再プレイ処理が実行される。共有再プレイ処理は、図２４及び図２５で詳細を説明する。
【０２０８】
ＳＴＥＰ１に示すメイン画面９１０でグループボタン９１４が操作された場合には、グループ登録情報設定画面９２０が表示される（ＳＴＥＰ２）。
【０２０９】
グループ登録情報設定画面９２０では、新規登録ボタン９２１、削除ボタン９２２、及び追加登録ボタン９２３が表示される。
【０２１０】
新規登録ボタン９２１が操作されると、新たにグループを登録するための登録実行処理が実行される。登録実行処理は、図１２で詳細を説明する。
【０２１１】
削除ボタン９２２が操作されると、グループを削除するための削除実行処理が実行される。
【０２１２】
追加登録ボタン９２３が操作されると、グループに遊技者を追加登録するための登録実行処理が実行される。この登録実行処理も、図１２で詳細を説明する。
【０２１３】
ＳＴＥＰ２に示すグループ登録情報設定画面９２０で、新規登録ボタン９２１が操作された場合には、暗証番号入力画面９３０が表示される（ＳＴＥＰ３）。
【０２１４】
暗証番号入力画面９３０は、記憶媒体受付端末装置６のカード挿入口６１を所有する遊技者が正規の遊技者であるか否かを認証するために表示される。
【０２１５】
暗証番号入力画面９３０では、数字入力部９３１、入力桁表示部９３２、及びＯＫボタン９３３が表示される。
【０２１６】
数字入力部９３１は、数字を記憶媒体受付端末装置６へ入力するための操作部である。入力桁表示部９３２は、これまでに入力された桁を例えば「＊」などで表示する。
【０２１７】
ＯＫボタン９３３が操作されると、入力された暗証番号を記憶媒体受付端末装置６が受け付ける。記憶媒体受付端末装置６が入力された暗証番号を受け付けると、入力された暗証番号とカード挿入口６１に挿入されているカードのカードＩＤとを会員管理装置１７に送信する。会員管理装置１７は、会員管理装置１７に記憶されているカードＩＤと暗証番号との対応関係を示すテーブルを参照して、受信した暗証番号が受信したカードＩＤと対応しているかを認証して、認証結果を記憶媒体受付端末装置６に送信する。
【０２１８】
ＳＴＥＰ３に示す暗証番号入力画面９３０で入力された暗証番号の認証が成功した場合には、グループ情報入力画面９４０が表示される（ＳＴＥＰ４）。
【０２１９】
グループ情報入力画面９４０は、グループを特定するためのグループ名を入力する画面である。
【０２２０】
グループ情報入力画面９４０では、グループ名入力部９４１、入力表示部９４２、及びＯＫボタン９４３が表示される。
【０２２１】
グループ名入力部９４１では、グループ名を入力するために、例えば、片仮名、アルファベット、及び各種記号が表示される。入力表示部９４２では、グループ名入力部９４１を介して入力されたグループ名が表示される。
【０２２２】
ＯＫボタン９４３が操作されると、入力されたグループ名を記憶媒体受付端末装置６が受け付ける。
【０２２３】
ＳＴＥＰ４に示すグループ情報入力画面９４０でグループ名が入力されると、メンバー情報入力画面９５０が表示される（ＳＴＥＰ５）。
【０２２４】
メンバー情報入力画面９５０は、現在カード挿入口６１に挿入されているカードの遊技者の他に、新たに追加されるグループに登録される遊技者のカードＩＤを入力する画面である。
【０２２５】
なお、遊技者がグループ登録操作を行ったときにカード挿入口６１に挿入されているカードを基準カードといい、メンバー情報入力画面９５０で入力されるカードＩＤのカードを追加カードという。
【０２２６】
メンバー情報入力画面９５０では、カードＩＤ入力部９５１、入力表示部９５２、及びＯＫボタン９５３が表示される。
【０２２７】
カードＩＤ入力部９５１では、カードＩＤを入力するための数字が表示される。入力表示部９５２では、入力されたカードＩＤが表示される。
【０２２８】
ＯＫボタン９５３が選択されると、入力されたカードＩＤを記憶媒体受付端末装置６が受け付ける。
【０２２９】
なお、グループに登録されるカードＩＤは、カード挿入口６１に当該カードが挿入された場合に自動的に読みだされることによって、記憶媒体受付端末装置６に入力されるようにしてもよい。
【０２３０】
また、グループに登録されるカードＩＤを入力するのではなく、グループに登録される遊技者の携帯電話番号（メールアドレスなどでもよい）の入力を受け付けてもよい。
【０２３１】
この場合には、会員管理装置１７には、会員の携帯電話番号とカードＩＤとの対応関係が記憶されているものとする。
【０２３２】
メンバー情報入力画面９５０でＯＫボタン９５３が操作されると、記憶媒体受付端末装置６は、新規登録ボタン９２１が操作されたことを示す情報、基準カードのカードＩＤ、及び追加カードのカードＩＤを含むグループ情報を会員管理装置１７に送信するとともに、グループ情報登録中画面９６０を表示する（ＳＴＥＰ６）。
【０２３３】
会員管理装置１７は、グループ情報を受信すると、グループにカードＩＤを登録するグループ登録処理を実行し、当該カードＩＤがグループに登録されたことを示すグループ登録情報、又は、当該カードＩＤがグループに登録されなかったことを示すグループ未登録情報を記憶媒体受付端末装置６へ送信する。なお、このグループ登録処理は、図１３で詳細を説明する。
【０２３４】
記憶媒体受付端末装置６は、グループ登録情報を受信した場合には、グループ情報登録報知画面９７０を所定時間表示し（ＳＴＥＰ７）、グループ情報登録続行確認画面９９０を表示する（ＳＴＥＰ９）。このとき、グループに新たにメンバーが登録されたことを、グループに属する既存のメンバーの携帯電話に電子メールで送信するようにしてもよい。
【０２３５】
グループ情報登録報知画面９７０は、会員管理装置１７に登録されたグループ名、及び当該グループに登録されたメンバー名を表示する画面である。
【０２３６】
グループ情報登録続行確認画面９９０は、新たに登録されたグループに他のメンバーを登録するか否かを確認する画面である。
【０２３７】
グループ情報登録続行確認画面９９０では、続行ボタン９９１及び終了ボタン９９２が表示される。
【０２３８】
続行ボタン９９１が操作されると、ＳＴＥＰ５に戻り、追加カードのカードＩＤを入力するためのメンバー情報入力画面９５０が表示される。
【０２３９】
終了ボタン９９２が操作されると、グループ設定処理が終了する。
【０２４０】
一方、記憶媒体受付端末装置６がグループ未登録情報を受信した場合には、カードＩＤが誤入力されている可能性があるので再度グループ登録を行うことを遊技者に要求するグループ情報未登録報知画面９８０を表示し（ＳＴＥＰ８）、ＳＴＥＰ９に進む。
【０２４１】
図１０は、本発明の実施形態の記憶媒体受付端末装置６によって実行される記憶媒体受付端末制御処理のフローチャートである。
【０２４２】
まず、記憶媒体受付端末装置６は、紙幣挿入口６３に紙幣が挿入されたか否かを判定する（１００１）。
【０２４３】
ステップ１００１の処理で、紙幣挿入口６３に紙幣が挿入されたと判定された場合、記憶媒体受付端末装置６は、残金更新処理を実行し（１００２）、カード挿入口６１に挿入されているカードのデータを更新する記憶情報更新処理を実行し（１０１９）、ステップ１００１の処理に戻る。
【０２４４】
残金更新処理は、紙幣挿入口６３に挿入された紙幣の金額を特定して、特定した金額を示す入金額情報、カードＩＤ、及び獲得媒体数情報を入金情報として会員管理装置１７に送信する処理である。会員管理装置１７は、受信した入金情報に基づいて、図８Ａに示す会員データベース８００の残金８０２を更新する。
【０２４５】
記憶媒体受付端末装置６は、ステップ１０１９の処理で実行される記憶情報更新処理で入金された金額をカード挿入口６１に挿入されているカードに書き込む。
【０２４６】
一方、ステップ１００１の処理で、紙幣挿入口６３に紙幣が挿入されていないと判定された場合、ステップ１００３の処理に進む。
【０２４７】
次に、記憶媒体受付端末装置６は、カード挿入口６１にカードが挿入されたか否かを判定する（１００３）。
【０２４８】
ステップ１００３の処理で、カード挿入口６１にカードが挿入されたと判定された場合、記憶媒体受付端末装置６は、カード認証処理を実行し（１００４）、記憶情報更新処理を実行し（１０１９）、ステップ１００１の処理に戻る。
【０２４９】
具体的には、記憶媒体受付端末装置６は、カード挿入口６１に挿入されたカードに記憶されたデータをカードＲ／Ｗ６１０に読み取り、カードＲ／Ｗ６１０が読み取ったデータをカード受付情報として会員管理装置１７に送信する。会員管理装置１７は、図８Ａに示す会員データベース８００を参照し、受信したカード受付情報に基づいてデータ認証を実行し、認証結果を記憶媒体受付端末装置６に送信する。
【０２５０】
記憶媒体受付端末装置６は、認証結果を受信すると、受信した認証結果がデータ認証を成功したことを示す場合には、挿入されたカードを受け入れ、挿入されたカードの遊技者が所有する遊技媒体を用いた遊技を許可する。
【０２５１】
一方、受信した認証結果がデータ認証を失敗したことを示す場合には、記憶媒体受付端末装置６は、カード挿入口６１に挿入されたカードを排出して、当該カードの遊技者が所有する遊技媒体を用いた遊技を禁止する。
【０２５２】
一方、ステップ１００３の処理で、カード挿入口６１にカードが挿入されていないと判定された場合には、ステップ１００５の処理に進む。
【０２５３】
次に、記憶媒体受付端末装置６は、表示装置６２の表示部６２１に表示されているメインボタン９０１が操作されたことを示す信号が入力されたか否かを判定する（１００５）。
【０２５４】
ステップ１００５の処理で、メインボタン９０１が操作されたことを示す信号が入力されたと判定された場合、記憶媒体受付端末装置６は、メイン画面表示処理を実行し（１００６）、ステップ１０１９の処理を実行してからステップ１００１の処理に戻る。
【０２５５】
メイン画面表示処理は、表示装置６２の表示部６２１に図９ＡのＳＴＥＰ１に示すメイン画面９１０を表示する処理である。
【０２５６】
一方、ステップ１００５の処理で、メインボタン９０１が操作されたことを示す信号が入力されていないと判定された場合、記憶媒体受付端末装置６は、メイン画面９１０で台データボタン９１１が操作されたことを示す信号が入力されたか否かを判定する（１００７）。
【０２５７】
ステップ１００７の処理で、台データボタン９１１が操作されたことを示す信号が入力されたと判定された場合、記憶媒体受付端末装置６は、当該記憶媒体受付端末装置６に対応する遊技機５、及び当該遊技機５に隣接する遊技機５の遊技履歴（例えば、始動入賞口３４への入賞回数や特別遊技状態の発生回数など）を表示する台データ表示処理を実行し（１００８）、ステップ１０１９の処理を実行してからステップ１００１の処理に戻る。
【０２５８】
一方、ステップ１００７の処理で、台データボタン９１１が操作されたことを示す信号が入力されていないと判定された場合、メイン画面９１０で個人データボタン９１２が操作されたことを示す信号が入力されたか否かを判定する（１００９）。
【０２５９】
ステップ１００９の処理で、個人データボタン９１２が操作されたことを示す信号が入力されたと判定された場合、記憶媒体受付端末装置６は、カード挿入口６１に挿入されたカードの遊技者の遊技データ（貯球数、当日貯球数、獲得球数など）を表示する個人データ表示処理を実行し（１０１０）、ステップ１０１９の処理を実行してからステップ１００１の処理に戻る。
【０２６０】
一方、ステップ１００９の処理で、個人データボタン９１２が操作されたことを示す信号が入力されていないと判定された場合、記憶媒体受付端末装置６は、メイン画面９１０でグループボタン９１４が操作されたことを示す信号が入力されたか否かを判定する（１０１１）。
【０２６１】
ステップ１０１１の処理で、グループボタン９１４が操作されたことを示す信号が入力された場合、記憶媒体受付端末装置６は、遊技者のカードＩＤをグループに登録するグループ設定処理を実行する（１０１２）。なお、グループ設定処理は、図１１〜図１３で詳細を説明する。
【０２６２】
一方、ステップ１０１１の処理で、グループボタン９１４が操作されたことを示す信号が入力されていないと判定された場合には、記憶媒体受付端末装置６は、共有ボタン９１３が操作されたことを示す信号が入力されたか否かを判定する（１０１３）。
【０２６３】
ステップ１０１３の処理で、共有ボタン９１３が操作されたことを示す信号が入力されたと判定された場合、記憶媒体受付端末装置６は、共有開始処理・共有参加処理を実行し（１０１４）、ステップ１０１９の処理を実行してから、ステップ１００１の処理に戻る。共有開始処理及び共有参加処理は、図１７〜図２３で詳細を説明する。
【０２６４】
一方、ステップ１０１３の処理で、共有ボタン９１３が入力されたことを示す信号が入力されていないと判定された場合、記憶媒体受付端末装置６は、再プレイボタン９０５が操作されたことを示す信号が入力されたか否かを判定する（１０１５）。
【０２６５】
ステップ１０１５の処理で、再プレイボタン９０５が操作されたことを示す信号が入力されたと判定された場合、記憶媒体受付端末装置６は、共有再プレイ処理を実行する。共有再プレイ処理は、図２４及び図２５で詳細を説明する。
【０２６６】
一方、ステップ１０１５の処理で、再プレイボタン９０５が操作されたことを示す信号が入力されていないと判定された場合、記憶媒体受付端末装置６は、中断スイッチ６２２１又は排出ボタン（返却ボタン）２７が操作されたことを示す信号が入力されたか否かを判定する（１０１７）。
【０２６７】
ステップ１０１７の処理で、排出ボタン２７が操作されたことを示す信号が入力されたと判定された場合、記憶媒体受付端末装置６は、遊技媒体の共有を中断又は終了する共有中断処理又は共有終了処理を実行し（１０１８）、ステップ１０１９の処理を実行してからステップ１００１の処理に戻る。共有中断処理又は共有終了処理は、図２７〜図３０で詳細を説明する。
【０２６８】
ステップ１０１９の処理は、前述のように、カード挿入口６１に挿入されているカードのデータを更新する記憶情報更新処理である。記憶情報更新処理において、表示処理など、カードのデータを更新する必要がない場合には、記憶情報更新処理の開始後直ちに終了するように処理すればよい。
【０２６９】
図１１は、本発明の実施形態の記憶媒体受付端末装置６によって実行されるグループ設定処理のフローチャートである。
【０２７０】
グループ設定処理は、図１０に示すステップ１０１２の処理で実行される。
【０２７１】
まず、記憶媒体受付端末装置６は、図９ＡのＳＴＥＰ２に示すグループ登録情報設定画面９２０を表示装置６２の表示部６２１に表示する（１１０１）。
【０２７２】
そして、記憶媒体受付端末装置６は、グループ登録情報設定画面９２０で追加登録ボタン９２３が操作されたことを示す信号が入力されたか否かを判定する（１１０２）。
【０２７３】
ステップ１１０２の処理で、追加登録ボタン９２３が操作されたことを示す信号が入力されたと判定された場合、記憶媒体受付端末装置６は、基準カードのカードＩＤを登録せずに追加カードのカードＩＤを登録することを示す追加登録情報を設定し（１１０３）、登録実行処理を実行し（１１０４）、グループ設定処理を終了する。ステップ１１０４の処理で実行される登録実行処理は、図１２で詳細を説明する。
【０２７４】
一方、ステップ１１０２の処理で、追加登録ボタン９２３が操作されたことを示す信号が入力されていないと判定された場合、記憶媒体受付端末装置６は、グループ登録情報設定画面９２０で新規登録ボタン９２１が操作されたことを示す信号が入力されたか否かを判定する（１１０５）。
【０２７５】
ステップ１１０５の処理で、新規登録ボタン９２１が操作されたことを示す信号が入力されたと判定された場合、記憶媒体受付端末装置６は、登録実行処理を実行し（１１０４）、グループ設定処理を終了する。
【０２７６】
一方、ステップ１１０５の処理で、新規登録ボタン９２１が操作されたことを示す信号が入力されていないと判定された場合、記憶媒体受付端末装置６は、削除ボタン９２２が操作されたことを示す信号が入力されたか否かを判定する（１１０６）。
【０２７７】
ステップ１１０６の処理で、削除ボタン９２２が操作されたことを示す信号が入力されたと判定された場合、記憶媒体受付端末装置６は、削除実行処理を実行し（１１０７）、グループ設定処理を終了する。
【０２７８】
削除実行処理は、カード挿入口６１に挿入されているカードＩＤが基準カードとして登録されているグループを削除する処理である。
【０２７９】
なお、削除実行処理は、カード挿入口６１に挿入されているカードＩＤが基準カード又は追加カードとして登録されているグループを削除するようにしてもよい。
【０２８０】
一方、ステップ１１０６の処理で、削除ボタン９２２が操作されたことを示す信号が入力されていないと判定された場合には、記憶媒体受付端末装置６は、ステップ１１０１の処理でグループ登録情報設定画面９２０が表示されてから所定時間が経過したか否かを判定する（１１０８）。
【０２８１】
ステップ１１０８の処理で、グループ登録情報設定画面９２０が表示されてから所定時間が経過したと判定された場合には、グループ登録情報設定画面９２０が表示されてから所定時間の間、画面が操作されなかったので、メイン画面９１０を表示し（１１０９）、グループ設定処理を終了する。
【０２８２】
一方、ステップ１１０６の処理で、グループ登録情報設定画面９２０が表示されてから所定時間が経過していないと判定された場合には、ステップ１１０２の処理に戻る。
【０２８３】
図１２は、本発明の実施形態の記憶媒体受付端末装置６によって実行される登録実行処理のフローチャートである。
【０２８４】
登録実行処理は、図１１に示すステップ１１０４の処理で実行される。
【０２８５】
まず、記憶媒体受付端末装置６は、暗証番号要求処理を実行する（１２０１）。
【０２８６】
暗証番号要求処理について説明する。
【０２８７】
記憶媒体受付端末装置６は、図９ＡのＳＴＥＰ３に示す暗証番号入力画面９３０を表示する。そして、記憶媒体受付端末装置６は、遊技者から暗証番号入力画面９３０を介して暗証番号の入力を受け付けると、グループ特定情報要求処理を実行する（１２０２）。
【０２８８】
グループ特定情報要求処理は、図９ＡのＳＴＥＰ４に示すグループ情報入力画面９４０を表示し、グループ名の入力を受け付ける処理である。
【０２８９】
次に、記憶媒体受付端末装置６は、メンバー情報要求処理を実行する（１２０３）。
【０２９０】
メンバー情報要求処理は、図９ＡのＳＴＥＰ５に示すメンバー情報入力画面９５０を表示し、追加カードのカードＩＤの入力を受け付ける処理である。
【０２９１】
そして、記憶媒体受付端末装置６は、グループ情報送信処理を実行する（１２０４）。
【０２９２】
グループ情報送信処理は、グループ情報（遊技者から暗証番号入力画面９３０を介して受け付けた暗証番号、カード挿入口６１に挿入されているカードのカードＩＤ（基準カードＩＤ）、グループ情報入力画面９４０を介して受け付けたグループ名、メンバー情報入力画面９５０を介して受け付けた追加カードのカードＩＤ、）を会員管理装置１７に送信する処理である。
【０２９３】
なお、新規登録ボタン９２１が操作された場合のグループ情報には、ステップ１２０２の処理で入力を受け付けたグループ名、及びステップ１２０３の処理で入力を受け付けた追加カードＩＤの他に、カード挿入口６１に挿入されているカードのカードＩＤ（基準カードＩＤ）が含まれるが、追加登録ボタン９２３が操作された場合は、ステップ１１０３の処理で追加登録情報がセットされることで、ステップ１２０２の処理で入力を受け付けたグループ名、及びステップ１２０３の処理で入力を受け付けた追加カードＩＤのみが含まれて、基準カードＩＤは含まれない（送信されない）ようになる。
【０２９４】
記憶媒体受付端末装置６は、ステップ１２０４の処理でグループ情報送信処理が実行している間、図９ＢのＳＴＥＰ６に示すグループ情報登録中画面９６０を表示する。
【０２９５】
記憶媒体受付端末装置６は、ステップ１２０４の処理を実行してグループ情報を送信すると、グループ情報への応答であるグループ登録情報を会員管理装置１７から受信したか否かを判定する（１２０５）。
【０２９６】
ステップ１２０５の処理で、グループ登録情報を会員管理装置１７から受信した場合には、記憶媒体受付端末装置６は、図９ＢのＳＴＥＰ７に示すグループ情報登録報知画面９７０を表示する登録報知処理を実行し（１２０６）、ステップ１２０７の処理に進む。
【０２９７】
一方、ステップ１２０５の処理で、グループ登録情報を会員管理装置１７から受信していないと判定された場合には、記憶媒体受付端末装置６は、グループ未登録情報を会員管理装置１７から受信したか否かを判定する（１２０８）。
【０２９８】
ステップ１２０８の処理で、グループ未登録情報を会員管理装置１７から受信していないと判定された場合には、ステップ１２０５の処理に戻る。
【０２９９】
一方、ステップ１２０８の処理で、グループ未登録情報を会員管理装置１７から受信したと判定された場合には、記憶媒体受付端末装置６は、図９ＢのＳＴＥＰ８に示すグループ情報未登録報知画面９８０を表示し（１２０９）、ステップ１２０７の処理に進む。
【０３００】
ステップ１２０６の処理でグループ情報登録報知画面９７０を表示してから、又はステップ１２０９の処理でグループ情報未登録報知画面９８０を表示してから、所定時間が経過すると、記憶媒体受付端末装置６は、図９ＢのＳＴＥＰ９に示すグループ情報登録続行確認画面９９０を表示し、続行ボタン９９１が操作されたことを示す信号が入力されたか否かを判定する（１２０７）。
【０３０１】
ステップ１２０７の処理で、続行ボタン９９１が操作されたことを示す信号が入力されていないと判定された場合には、登録実行処理を終了する。
【０３０２】
一方、ステップ１２０７の処理で、続行ボタン９９１が操作されたことを示す信号が入力されたと判定された場合には、ステップ１２０３の処理に戻り、メンバー情報入力画面９５０を再度表示する。
【０３０３】
図１３は、本発明の実施形態の会員管理装置１７によって実行されるグループ登録処理のフローチャートである。
【０３０４】
まず、会員管理装置１７は、記憶媒体受付端末装置６から送信されたグループ情報を受信したか否かを判定する（１３０１）。
【０３０５】
ステップ１３０１の処理で、グループ情報を受信していないと判定された場合、グループ登録処理を終了する。
【０３０６】
一方、ステップ１３０１の処理で、グループ情報を受信したと判定された場合、会員管理装置１７は、受信したグループ情報に含まれるカードＩＤ（新規登録ボタン９２１が操作された場合には基準カードＩＤ及び追加カードＩＤ、追加登録ボタン９２３が操作された場合には追加カードＩＤ）が会員データベース８００に登録されているかを確認する（１３０２）。
【０３０７】
そして、会員管理装置１７は、ステップ１３０２の処理の確認結果が、受信したグループ情報に含まれるカードＩＤが会員データベース８００に登録されていないと判定された場合（１３０３；Ｎｏ）、グループ未登録情報を記憶媒体受付端末装置６に送信し（１３０４）、グループ登録処理を終了する。
【０３０８】
一方、ステップ１３０２の処理で、受信したグループ情報に含まれるカードＩＤが会員データベース８００に登録されていると判定された場合（１３０３；Ｙｅｓ）、会員管理装置１７は、受信したグループ情報が追加登録情報であるか否かを判定する（１３０５）。
【０３０９】
ステップ１３０５の処理で、受信したグループ情報が追加登録情報である、つまり、基準カードＩＤが含まれないと判定された場合には、追加登録ボタン９２３が操作された場合のグループ登録処理であるため、新たにグループ名を登録する必要がないので、受信したグループ情報に含まれるグループ名に対応するグループＩＤを特定し、グループテーブル８５０を参照し、特定したグループＩＤを検索する（１３０６）。
【０３１０】
そして、会員管理装置１７は、ステップ１３０６の処理で検索したグループＩＤのエントリに、受信したグループ情報に含まれる追加カードＩＤを登録する（１３０９）。
【０３１１】
次に、会員管理装置１７は、グループテーブル８５０にカードＩＤが登録されたことを示すグループ登録情報を記憶媒体受付端末装置６に送信し（１３１０）、グループ登録処理を終了する。
【０３１２】
一方、ステップ１３０５の処理で、受信したグループ情報が追加登録情報でない、つまり、基準カードＩＤが含まれると判定された場合、新規登録ボタン９２１が操作された場合のグループ登録処理であるので、新たにグループ名を登録するため、受信したグループ情報に含まれるグループ名に対応するグループＩＤを新たに発行する（１３０７）。なお、グループ名とグループＩＤとは、対応付けられて会員管理装置１７に記憶される。
【０３１３】
そして、会員管理装置１７は、グループテーブル８５０にステップ１３０７の処理で発行されたグループＩＤを登録した新たなエントリを作成し、作成されたエントリに受信したグループ情報に含まれる基準カードＩＤを登録し（１３０８）、ステップ１３０９の処理に進む。
【０３１４】
ステップ１３０９の処理では、記憶媒体受付端末装置６は、グループテーブル８５０の新たに作成されたエントリに、受信したグループ情報に含まれる追加カードＩＤを登録し、ステップ１３１０の処理に進み、グループ登録情報を記憶媒体受付端末装置６に送信する。
【０３１５】
図１４〜図２２では、共有開始処理及び共有参加処理について説明する。
【０３１６】
図１４は、本発明の実施形態の共有開始時に表示装置６２に表示される共有開始画面の説明図である。
【０３１７】
表示装置６２の表示部６２１には、メイン画面９１０が表示されている（ＳＴＥＰ２１）。
【０３１８】
メイン画面９１０で共有ボタン９１３が操作されると、共有開始参加選択画面１４１０が表示される（ＳＴＥＰ２２）。
【０３１９】
共有開始参加選択画面１４１０では、選択催促表示部１４１１、開始ボタン１４１２、及び参加ボタン１４１３が表示される。
【０３２０】
開始ボタン１４１２が操作されると、記憶媒体受付端末装置６は、グループに登録されたいずれかのメンバーの口座を利用口座とする共有開始処理を実行する。
【０３２１】
参加ボタン１４１３が操作されると、記憶媒体受付端末装置６は、共有開始処理によって開始された共有に参加する共有参加処理を実行する。
【０３２２】
選択催促表示部１４１１には、開始ボタン１４１２又は参加ボタン１４１３の操作を遊技者に催促する旨のメッセージが表示される。
【０３２３】
共有開始参加選択画面１４１０で開始ボタン１４１２が操作されると、共有口座選択画面１４２０が表示される（ＳＴＥＰ２３）。
【０３２４】
共有口座選択画面１４２０は、利用口座となるメンバーの口座を選択させる画面である。
【０３２５】
共有口座選択画面１４２０には、共有を開始する遊技者が登録されたグループに登録されているメンバーの個人玉口座と共有玉口座とが表示される。
【０３２６】
そして、表示されたメンバー名と個人玉口座と共有玉口座とからなるエントリが選択されると、選択されたエントリのメンバーの口座が利用口座として登録されて、口座登録報知画面１４３０が所定時間表示される（ＳＴＥＰ２４）。
【０３２７】
口座登録報知画面１４３０には、利用口座として登録されたメンバー名が表示される。
【０３２８】
次に、利用口座の選択後に表示される利用玉数設定画面について、図１５を用いて説明する。
【０３２９】
図１５は、本発明の実施形態の利用玉数設定画面の説明図である。
【０３３０】
ＳＴＥＰ２４で口座登録報知画面１４３０が所定時間表示されると、利用口座として選択されたメンバーのカードが挿入されている記憶媒体受付端末装置６には、利用玉数設定画面１５１０が表示される（ＳＴＥＰ３１）。
【０３３１】
利用玉数設定画面１５１０は、個人玉口座から共有玉口座に移行する遊技媒体数を決定する画面である。
【０３３２】
利用玉数設定画面１５１０では、数字入力部１５１１、入力表示部１５１２、及びＯＫボタン１５１３が表示される。
【０３３３】
数字入力部１５１１では、利用玉数を入力するための数字が表示される。入力表示部１５１２では、入力された利用玉数が表示される。
【０３３４】
ＯＫボタン１５１３が表示されると、入力された利用玉数を記憶媒体受付端末装置６が受け付ける。
【０３３５】
本実施形態では、利用玉数設定画面１５１０は、利用口座として選択されたメンバーの記憶媒体受付端末装置６にのみ表示されているようにしているので、他のメンバーが利用口座として選択されたメンバーの意図に反して利用玉数を決定することを防止できる。
【０３３６】
利用玉数設定画面１５１０でＯＫボタン１５１３が操作されると、利用玉数設定画面１５１０で決定された利用玉数が個人玉口座から減算され、利用玉数設定画面１５１０で決定された利用玉数が共有玉口座に加算されることによって利用玉数が移行され、利用数登録報知画面１５２０が表示される。
【０３３７】
利用数登録報知画面１５２０では、利用口座として選択されたメンバーの移行後の個人玉口座１５２１と共有玉口座１５２２が表示される。
【０３３８】
図１６は、本発明の実施形態の共有参加時に表示装置６２の表示部６２１に表示される共有参加画面の説明図である。
【０３３９】
図１４のＳＴＥＰ２２の処理で表示される共有開始参加選択画面１４１０で参加ボタン１４１３が操作された場合に、参加グループ選択画面１６１０が表示される（ＳＴＥＰ４２）。なお、遊技者が会員カードを記憶媒体受付端末装置６に挿入したとき、当該遊技者が登録されたグループで共有が行われている場合には、カード挿入時に参加グループ選択画面１６１０を表示するように構成してもよい。
【０３４０】
参加グループ選択画面１６１０は、カード挿入口６１に挿入されているカードの遊技者が参加するグループを選択する画面である。
【０３４１】
参加グループ選択画面１６１０では、選択グループ表示部１６１１、確定ボタン１６１２、及びキャンセルボタン１６１３が表示される。
【０３４２】
選択グループ表示部１６１１には、カード挿入口６１に挿入されているカードのカードＩＤが登録され、かつ、共有が行われているグループのうち、一つのグループが表示される。
【０３４３】
確定ボタン１６１２が操作されると、記憶媒体受付端末装置６は、参加グループ選択画面１６１０に表示されているグループを参加するグループとして受け付ける。
【０３４４】
キャンセルボタン１６１３が操作されると、記憶媒体受付端末装置６は、カード挿入口６１に挿入されているカードのカードＩＤが登録され、かつ、共有が行われている他のグループが存在する場合には、当該他のグループを選択グループ表示部１６１１に表示する。一方、カード挿入口６１に挿入されているカードのカードＩＤが登録され、かつ、共有が行われている他のグループが存在しない場合には、当該カードの遊技者が共有に参加しないことを受け付ける。
【０３４５】
参加グループ選択画面１６１０で確定ボタン１６１２が操作された場合には、カード挿入口６１に挿入されているカードのカードＩＤが、確定ボタン１６１２操作時に選択グループ表示部１６１１に表示されていたグループに参加することが登録され、参加登録報知画面１６２０が表示される（ＳＴＥＰ４３）。
【０３４６】
参加登録報知画面１６２０は、参加が登録されたグループ名を表示する画面である。
【０３４７】
図１７は、本発明の実施形態の記憶媒体受付端末装置６によって実行される共有開始処理・共有参加処理のフローチャートである。
【０３４８】
共有開始処理・共有参加処理は、図１０に示すステップ１０１４の処理で実行される処理である。
【０３４９】
まず、記憶媒体受付端末装置６は、メイン画面９１０で共有ボタン９１３が操作されると、共有開始参加選択画面１４１０を表示し、共有開始参加選択画面１４１０で開始ボタン１４１２が操作されたことを示す信号が入力されたか否かを判定する（１７０１）。
【０３５０】
ステップ１７０１の処理で、共有開始参加選択画面１４１０で開始ボタン１４１２が操作されたことを示す信号が入力されたと判定された場合には、記憶媒体受付端末装置６は、グループに登録されているメンバーのうち、利用玉口座として使用するメンバーを選択する共有開始処理を実行する（１７０２）。なお、共有開始処理は、図１８で詳細を説明する。
【０３５１】
次に、記憶媒体受付端末装置６は、利用玉数を設定する利用玉数設定処理を実行し（１７０３）、共有開始処理・共有参加処理を終了する。なお、利用玉数設定処理は、図１９で詳細を説明する。
【０３５２】
一方、ステップ１７０１の処理で、共有開始参加選択画面１４１０で開始ボタン１４１２が操作されたことを示す信号が入力されていないと判定された場合には、共有開始参加選択画面１４１０で参加ボタン１４１３が操作されたことを示す信号が入力されたか否かを判定する（１７０４）。
【０３５３】
ステップ１７０４の処理で、共有開始参加選択画面１４１０で参加ボタン１４１３が操作されたことを示す信号が入力されたと判定された場合には、参加するグループを選択する共有参加処理を実行し（１７０５）、共有開始処理・共有参加処理を終了する。なお、共有参加処理は、図２０で詳細を説明する。
【０３５４】
一方、ステップ１７０４の処理で、共有開始参加選択画面１４１０で参加ボタン１４１３が操作されたことを示す信号が入力されていないと判定された場合には、共有開始処理・共有参加処理を終了する。
【０３５５】
図１８は、本発明の実施形態の記憶媒体受付端末装置６によって実行される共有開始処理のフローチャートである。
【０３５６】
まず、記憶媒体受付端末装置６は、カード挿入口６１に挿入されているカードのカードＩＤが共有実行中であることを示す共有実行中情報が設定されているか否かを判定する（１８０１）。
【０３５７】
ステップ１８０１の処理で、共有実行中情報が設定されていると判定された場合には、すでに共有が開始されているので、共有開始処理を終了する。
【０３５８】
一方、ステップ１８０１の処理で、共有実行中情報が設定されていないと判定された場合には、記憶媒体受付端末装置６は、カード挿入口６１に挿入されているカードの遊技者と同じグループに属するメンバーであって、記憶媒体受付端末装置６にカードを現在挿入しているメンバーの個人玉口座及び共有玉口座を取得する要求である貯玉要求情報を送信する貯玉要求情報送信処理を実行する（１８０２）。
【０３５９】
次に、記憶媒体受付端末装置６は、ステップ１８０２の処理で送信した貯玉要求情報の応答であるグループ貯玉情報を会員管理装置１７から受信したか否かを判定する（１８０３）。
【０３６０】
グループ貯玉情報は、ステップ１８０２の処理で貯玉要求情報を送信した記憶媒体受付端末装置６のカード挿入口６１に挿入されているカードの遊技者と同じグループに属するメンバーであって、いずれかの記憶媒体受付端末装置６にカードを現在挿入しているメンバーの個人玉口座及び共有玉口座を示す情報を含む。
【０３６１】
ステップ１８０３の処理で、グループ貯玉情報を会員管理装置１７から受信していないと判定された場合には、記憶媒体受付端末装置６は、グループ貯玉情報を受信するまで、ステップ１８０３の処理を繰り返し実行する。
【０３６２】
一方、ステップ１８０３の処理で、グループ貯玉情報を会員管理装置１７から受信したと判定された場合には、記憶媒体受付端末装置６は、図１４のＳＴＥＰ２３に示す共有口座選択画面１４２０を表示装置６２の表示部６２１に表示する（１８０４）。
【０３６３】
次に、記憶媒体受付端末装置６は、ステップ１８０４の処理で表示した共有口座選択画面１４２０において、共有利用する口座を選択する口座選択操作を示す信号が入力されたか否かを判定する（１８０５）。
【０３６４】
ステップ１８０５の処理で、口座選択操作を示す信号が入力されていないと判定された場合、記憶媒体受付端末装置６は、口座選択操作を示す信号が入力されるまで、ステップ１８０５の処理を繰り返し実行する。
【０３６５】
一方、ステップ１８０５の処理で、口座選択操作を示す信号が入力されたと判定された場合、記憶媒体受付端末装置６は、利用口座に選択されたメンバーを特定するための情報である選択口座情報を設定し（１８０６）、カード挿入口６１に挿入されたカードの遊技者がこれから共有を開始することを示す共有開始情報を送信する共有開始情報送信処理を実行する（１８０７）。この選択口座情報には、利用口座に選択されたメンバーのカードＩＤが含まれる。また、共有開始情報には、ステップ１８０６の処理で設定された選択口座情報が含まれる。
【０３６６】
次に、記憶媒体受付端末装置６は、ステップ１８０７の処理で送信された共有開始情報の応答である共有開始登録情報を会員管理装置１７から受信したか否かを判定する（１８０８）。共有開始登録情報は、会員管理装置１７が利用口座に選択されたメンバーのカードＩＤ、及び共有を開始するメンバーのカードＩＤを登録した場合に送信される。
【０３６７】
ステップ１８０８の処理で、共有開始登録情報を受信していないと判定された場合、記憶媒体受付端末装置６は、共有開始登録情報を受信するまで、ステップ１８０８の処理を繰り返し実行する。
【０３６８】
一方、ステップ１８０８の処理で、共有開始登録情報を受信したと判定された場合、記憶媒体受付端末装置６は、共有が開始されたことを示す共有実行中情報を設定する（１８０９）。
【０３６９】
この共有実行中情報は、共有を実行するメンバーのカードが挿入されている記憶媒体受付端末装置６に、当該共有が終了するまで（共有が実行されている間）設定される。
【０３７０】
記憶媒体受付端末装置６は、図１４のＳＴＥＰ２４に示す口座登録報知画面１４３０を表示装置６２の表示部６２１に表示する口座登録報知処理を実行し（１８１０）、共有開始処理を終了する。
【０３７１】
図１９は、本発明の実施形態の記憶媒体受付端末装置６によって実行される利用玉数設定処理のフローチャートである。
【０３７２】
利用玉数設定処理は、利用口座に選択されたメンバーのカードが挿入されている記憶媒体受付端末装置６で実行される。
【０３７３】
まず、記憶媒体受付端末装置６は、共有実行中情報が設定されているか否かを判定する（１９０１）。
【０３７４】
ステップ１９０１の処理で、共有実行中情報が設定されていないと判定された場合には、記憶媒体受付端末装置６は、利用玉数設定処理を終了する。
【０３７５】
ステップ１９０１の処理で、共有実行中情報が設定されていると判定された場合、記憶媒体受付端末装置６は、利用玉数要求情報を会員管理装置１７から受信したか否かを判定する（１９０２）。利用玉数要求情報は、利用口座に選択されたメンバーのカードが挿入されている記憶媒体受付端末装置６にのみ会員管理装置１７から送信される。
【０３７６】
ステップ１９０２の処理で、利用玉数要求情報を会員管理装置１７から受信していないと判定された場合、記憶媒体受付端末装置６は、利用玉数設定処理を終了する。
【０３７７】
一方、ステップ１９０２の処理で、利用玉数要求情報を会員管理装置１７から受信したと判定された場合、記憶媒体受付端末装置６は、図１５のＳＴＥＰ３１に示す利用玉数設定画面１５１０を表示装置６２の表示部６２１に表示する（１９０３）。
【０３７８】
次に、記憶媒体受付端末装置６は、ステップ１９０３の処理で表示された利用玉数設定画面１５１０において、利用玉数が設定される操作を示す信号が入力されたか否かを判定する（１９０４）。
【０３７９】
具体的には、記憶媒体受付端末装置６は、数字入力部１５１１が操作されて利用玉数が入力された後に、ＯＫボタン１５１３が操作されたことを示す信号が入力されたか否かを判定する。
【０３８０】
ステップ１９０４の処理で、利用玉数設定画面１５１０において、利用玉数が設定される操作を示す信号が入力されていないと判定された場合、記憶媒体受付端末装置６は、利用玉数設定画面１５１０において、利用玉数が設定される操作を示す信号が入力されるまで、ステップ１９０４の処理を繰り返し実行する。
【０３８１】
一方、ステップ１９０４の処理で、利用玉数設定画面１５１０において、利用玉数が設定される操作を示す信号が入力されていると判定された場合、記憶媒体受付端末装置６は、入力された利用玉数を示す利用玉数情報を設定する（１９０５）。
【０３８２】
次に、記憶媒体受付端末装置６は、ステップ１９０５の処理で設定された利用玉数情報を送信する利用玉数情報を会員管理装置１７に送信する利用玉数情報送信処理を実行する（１９０６）。
【０３８３】
なお、会員管理装置１７は、利用玉数情報を受信すると、受信した利用玉数情報を登録し、利用数登録情報を、利用玉数情報を送信した記憶媒体受付端末装置６に送信する。
【０３８４】
そして、記憶媒体受付端末装置６は、利用数登録情報を会員管理装置１７から受信したか否かを判定する（１９０７）。
【０３８５】
ステップ１９０７の処理で、利用数登録情報を会員管理装置１７から受信していないと判定された場合には、記憶媒体受付端末装置６は、利用数登録情報を受信するまで、ステップ１９０７の処理を繰り返し実行する。
【０３８６】
一方、ステップ１９０７の処理で、利用数登録情報を会員管理装置１７から受信したと判定された場合には、記憶媒体受付端末装置６は、図１５のＳＴＥＰ３２に示す利用数登録報知画面１５２０を表示装置６２の表示部６２１に表示する利用数登録報知処理を実行し（１９０８）、利用玉数設定処理を終了する。
【０３８７】
以上のように、利用玉数設定処理は、利用口座に選択されたメンバーのカードが挿入された記憶媒体受付端末装置６によって実行されるので、例えば、他人のカードを無断で使用して共有を開始した場合であっても、利用口座に選択されたメンバーが不正行為に気付く可能性が高いため、このような不正を防止することができる。
【０３８８】
図２０は、本発明の実施形態の記憶媒体受付端末装置６によって実行される共有参加処理のフローチャートである。
【０３８９】
まず、記憶媒体受付端末装置６は、共有実行中情報が設定されているか否かを判定する（２００１）。
【０３９０】
ステップ２００１の処理で、共有実行中情報が設定されていると判定された場合、記憶媒体受付端末装置６は、既に共有が開始されており、共有に参加する必要がないので、共有参加処理を終了する。
【０３９１】
一方、ステップ２００１の処理で、共有実行中情報が設定されていないと判定された場合、記憶媒体受付端末装置６は、図１６のＳＴＥＰ４２に示す参加グループ選択画面１６１０を表示装置６２の表示部６２１に表示する（２００２）。
【０３９２】
参加グループ選択画面１６１０では、当該記憶媒体受付端末装置６に挿入されているカードの遊技者が属するグループのうち、共有が開始されているグループの一つが表示される。
【０３９３】
次に、記憶媒体受付端末装置６は、ステップ２００２の処理で表示された参加グループ選択画面１６１０でキャンセルボタン１６１３が操作されたことを示す信号が入力されたか否かを判定する（２００３）。
【０３９４】
ステップ２００３の処理で、キャンセルボタン１６１３が操作されたことを示す信号が入力されたと判定された場合には、記憶媒体受付端末装置６は、当該記憶媒体受付端末装置６に挿入されているカードの遊技者が属し、共有が開始されているグループのうち、未だ参加グループ選択画面１６１０に表示されていないグループが存在するか否かを判定する（２００４）。
【０３９５】
ステップ２００４の処理で、記憶媒体受付端末装置６は、当該記憶媒体受付端末装置６に挿入されているカードの遊技者が属し、共有が開始されているグループのうち、未だ参加グループ選択画面１６１０に表示されていないグループが存在すると判定された場合には、参加グループ選択画面１６１０に次に表示されるグループを更新して（２００５）、ステップ２００２の処理に戻る。
【０３９６】
一方、ステップ２００４の処理で、記憶媒体受付端末装置６は、当該記憶媒体受付端末装置６に挿入されているカードの遊技者が属し、共有が開始されているグループのうち、未だ参加グループ選択画面１６１０に表示されていないグループが存在しないと判定された場合には、記憶媒体受付端末装置６は、当該記憶媒体受付端末装置６に挿入されているカードの遊技者は共有が開始されているグループに参加しないと判断して、共有参加処理を終了する。
【０３９７】
ステップ２００３の処理で、キャンセルボタン１６１３が操作されたことを示す信号が入力されていないと判定された場合には、記憶媒体受付端末装置６は、ステップ２００２の処理で表示された参加グループ選択画面１６１０で確定ボタン１６１２が操作されたことを示す信号が入力されたか否かを判定する（２００６）。
【０３９８】
ステップ２００６の処理で、確定ボタン１６１２が操作されたことを示す信号が入力されていないと判定された場合には、記憶媒体受付端末装置６は、キャンセルボタン１６１３又は確定ボタン１６１２が操作されたことを示す信号が入力されるまで、ステップ２００３の処理及びステップ２００６の処理を繰り返し実行する。
【０３９９】
一方、ステップ２００６の処理で、確定ボタン１６１２が操作されたことを示す信号が入力されたと判定された場合には、記憶媒体受付端末装置６は、確定ボタン１６１２が操作された際に選択グループ表示部１６１１に表示されていたグループが行っている共有に、当該記憶媒体受付端末装置６にカードが挿入されている遊技者が参加することを示す共有参加情報を会員管理装置１７に送信する共有参加情報送信処理を実行する（２００７）。共有参加情報には、共有に参加するグループを特定する情報、及び当該記憶媒体受付端末装置６に挿入されているカードのカードＩＤが含まれる。
【０４００】
そして、記憶媒体受付端末装置６は、共有参加情報の応答である共有参加登録情報を会員管理装置１７から受信したか否かを判定する（２００８）。
【０４０１】
ステップ２００８の処理で、共有参加登録情報を会員管理装置１７から受信していないと判定された場合には、記憶媒体受付端末装置６は、共有参加登録情報を受信するまで、ステップ２００８の処理を繰り返し実行する。
【０４０２】
一方、ステップ２００８の処理で、共有参加登録情報を会員管理装置１７から受信したと判定された場合には、記憶媒体受付端末装置６は、共有が実行されたことを示す共有実行中情報を設定する（２００９）。
【０４０３】
この共有実行中情報は、共有に参加するメンバーのカードが挿入されている記憶媒体受付端末装置６に、当該共有が終了するまで（共有が実行されている間）設定される。
【０４０４】
そして、記憶媒体受付端末装置６は、図１６のＳＴＥＰ４３に示す参加登録報知画面１６２０を表示装置６２の表示部６２１に表示する共有参加登録報知処理を実行し（２０１０）、共有参加処理を終了する。
【０４０５】
図２１は、本発明の実施形態の会員管理装置１７によって実行される共有開始情報登録処理のフローチャートである。
【０４０６】
まず、会員管理装置１７は、貯玉要求情報を記憶媒体受付端末装置６から受信したか否かを判定する（２１０１）。
【０４０７】
貯玉要求情報は、図１８に示すステップ１８０２の処理で送信され、記憶媒体受付端末装置６のカード挿入口６１に挿入されているカードの遊技者と同じグループに属するメンバーであって、記憶媒体受付端末装置６にカードを現在挿入しているメンバーの個人玉口座及び共有玉口座を取得する要求である。貯玉要求情報には、記憶媒体受付端末装置６に挿入されているカードのカードＩＤが含まれる。
【０４０８】
ステップ２１０１の処理で、貯玉要求情報を受信していないと判定された場合には、会員管理装置１７は、共有開始情報登録処理を終了する。
【０４０９】
一方、ステップ２１０１の処理で、貯玉要求情報を受信したと判定された場合には、会員管理装置１７は、グループテーブル８５０を参照し、受信した貯玉要求情報に含まれるカードＩＤが登録されたグループのグループＩＤを検索する（２１０２）。
【０４１０】
次に、会員管理装置１７は、貯玉要求情報を送信した記憶媒体受付端末装置６に挿入されたカードの遊技者が属するグループのメンバーのうち、現在記憶媒体受付端末装置６にカードが挿入されているメンバーの個人玉口座及び共有玉口座を含むグループ貯玉情報を、貯玉要求情報を送信した記憶媒体受付端末装置６に送信するグループ貯玉情報送信処理を実行する（２１０３）。
【０４１１】
ステップ２１０３の処理について具体的に説明する。
【０４１２】
まず、会員管理装置１７は、グループテーブル８５０を参照し、ステップ２１０２の処理で検索されたグループＩＤに属するすべてのカードＩＤを選択する。そして、会員管理装置１７は、選択されたカードＩＤのうち、状態が未挿入以外のカードＩＤを抽出する。
【０４１３】
そして、会員管理装置１７は、抽出されたカードＩＤと一致するエントリを会員データベース８００に登録されたエントリから取得し、そのエントリに含まれる貯玉（ＰＢ）８０３、及び当日貯玉（ＰＢ）８０５を個人玉口座として取得し、また、当該エントリに含まれる貯玉（ＧＰ）８０４、及び当日貯玉（ＧＰ）８０６を共有玉口座として取得し、グループ貯玉情報を送信する。
【０４１４】
次に、会員管理装置１７は、共有開始情報を記憶媒体受付端末装置６から受信したか否かを判定する（２１０４）。
【０４１５】
共有開始情報は、図１８に示すステップ１８０７の処理で送信され、利用口座に選択されたメンバーを特定するための情報である選択口座情報、及び当該記憶媒体受付端末装置６に挿入されているカードのカードＩＤが含まれる。
【０４１６】
ステップ２１０４の処理で、共有開始情報を記憶媒体受付端末装置６から受信していないと判定された場合には、会員管理装置１７は、共有開始情報を受信するまで、ステップ２１０４の処理を繰り返し実行する。
【０４１７】
一方、ステップ２１０４の処理で、共有開始情報を記憶媒体受付端末装置６から受信したと判定された場合には、会員管理装置１７は、受信した共有開始情報に含まれる選択口座情報によって特定されるカードＩＤを、利用口座のカードＩＤとして登録する（２１０５）。
【０４１８】
そして、会員管理装置１７は、受信した共有開始情報に含まれる当該記憶媒体受付端末装置６に挿入されているカードのカードＩＤを、共有を実行するカードＩＤとして登録する（２１０６）。
【０４１９】
そして、会員管理装置１７は、利用口座のカードＩＤ及び共有を実行するカードＩＤを登録したことを示す共有開始登録情報を、共有開始情報を送信した記憶媒体受付端末装置６に送信する（２１０７）。
【０４２０】
なお、共有開始情報を送信した記憶媒体受付端末装置６は、共有開始登録情報を受信した場合には、図１４のＳＴＥＰ２４に示す口座登録報知画面１４３０を表示装置６２の表示部６２１に表示する。
【０４２１】
次に、会員管理装置１７は、利用玉数要求情報を、利用口座に選択されたメンバーのカードが挿入されている記憶媒体受付端末装置６に送信する（２１０８）。
【０４２２】
なお、利用口座に選択されたメンバーのカードが挿入されている記憶媒体受付端末装置６は、利用玉数要求情報を受信した場合には、図１５のＳＴＥＰ３１に示す利用玉数設定画面１５１０を表示装置６２の表示部６２１に表示する。
【０４２３】
次に、会員管理装置１７は、ステップ２１０８の処理で送信した利用玉数要求情報を送信した記憶媒体受付端末装置６から利用玉数情報を受信したか否かを判定する（２１０９）。
【０４２４】
ステップ２１０８の処理で送信した利用玉数要求情報を送信した記憶媒体受付端末装置６から利用玉数情報を受信していないと、ステップ２１０９の処理で判定された場合には、会員管理装置１７は、利用玉数情報を受信するまで、ステップ２１０９の処理を繰り返し実行する。
【０４２５】
一方、ステップ２１０８の処理で送信した利用玉数要求情報を送信した記憶媒体受付端末装置６から利用玉数情報を受信したと、ステップ２１０９の処理で判定された場合には、会員管理装置１７は、受信した利用玉数情報を登録する（２１１０）。
【０４２６】
ステップ２１１０の処理を具体的に説明する。
【０４２７】
まず、会員管理装置１７は、図８Ａに示す会員データベース８００に登録されたエントリのうち、カードＩＤ８０１に登録されたカードＩＤとステップ２１０５の処理で登録された利用口座に選択されたカードＩＤとが一致するエントリを選択する。そして、会員管理装置１７は、選択されたエントリの貯玉（ＰＢ）８０３に登録された貯玉数から、受信した利用玉数情報によって特定される利用玉数を減算し、当日貯玉（ＧＰ）８０６に受信した利用玉数情報によって特定される利用玉数を加算することによって、利用玉数情報を登録する。
【０４２８】
会員管理装置１７は、ステップ２１１０の処理で利用玉数情報を登録すると、利用玉数情報を登録したことを示す利用玉数登録情報を、利用玉数情報を登録したグループに属すし、カードが挿入されている記憶媒体受付端末装置６に送信する（２１１１）。
【０４２９】
なお、ステップ２１１１の処理では、利用玉数登録情報は、選択口座に選択されているカードが挿入されている記憶媒体受付端末装置６のみに送信されてもよいし、共有を実行するカードが挿入されている記憶媒体受付端末装置６のみに送信されてもよいし、選択口座に選択されているカードが挿入されている記憶媒体受付端末装置６及び共有を実行するカードが挿入されている記憶媒体受付端末装置６に送信されてもよい。
【０４３０】
次に、会員管理装置１７は、当該グループが共有中であることを示す共有中情報を登録する（２１１２）。
【０４３１】
具体的には、会員管理装置１７は、グループテーブル８５０を参照し、選択口座情報によって特定されるカードＩＤに対応するエントリの状態８５３を共有中に設定するとともに、受信した共有開始情報に含まれる当該記憶媒体受付端末装置６に挿入されているカードのカードＩＤに対応するエントリの状態８５３を共有中に設定する。
【０４３２】
なお、共有中でないグループに属するメンバーのカードが記憶媒体受付端末装置６に挿入された場合には、会員管理装置１７は、共有中情報が登録されているグループ名を、当該記憶媒体受付端末装置６に表示させる。
【０４３３】
そして、会員管理装置１７は、共有中情報を遊技場管理装置１に送信し、共有開始情報登録処理を終了する。
【０４３４】
なお、遊技場管理装置１は共有中情報を受信すると、共有中の記憶媒体受付端末装置６に対応する呼び出しランプ８を点滅させるなどして、共有中である遊技用装置４を他の遊技用装置４と区別できるようにする。
【０４３５】
図２２は、本発明の実施形態の会員管理装置１７によって実行される共有参加情報登録処理のフローチャートである。
【０４３６】
まず、会員管理装置１７は、図２０のステップ２００７の処理で記憶媒体受付端末装置６によって送信された共有参加情報を受信したか否かを判定する（２２０１）。
【０４３７】
ステップ２２０１の処理で共有参加情報を受信していないと判定された場合、記憶媒体受付端末装置６は、共有参加情報登録処理を終了する。
【０４３８】
一方、ステップ２２０１の処理で共有参加情報を受信したと判定された場合、記憶媒体受付端末装置６は、グループテーブル８５０を参照し、受信した共有参加情報に含まれる共有に参加するグループＩＤが登録されているエントリを検索する（２２０２）。
【０４３９】
そして、会員管理装置１７は、ステップ２２０２の処理で検索されたエントリのうち、受信したカードＩＤに対応する状態８５３に共有中であることを登録する（２２０３）。
【０４４０】
次に、会員管理装置１７は、共有参加情報を登録したことを示す共有参加登録情報を、共有参加情報を送信した記憶媒体受付端末装置６に送信する（２２０４）。
【０４４１】
そして、会員管理装置１７は、共有参加情報が登録されたグループに属するメンバーのカードが挿入された記憶媒体受付端末装置６の表示装置６２の表示部６２１に、新たなメンバーが共有に参加したことを示す画面を表示させるための共有参加通知情報を送信する（２２０５）。
【０４４２】
そして、会員管理装置１７は、共有中情報を遊技場管理装置１に送信し（２２０６）、共有参加情報登録処理を終了する。
【０４４３】
なお、遊技場管理装置１は共有中情報を受信すると、共有中の記憶媒体受付端末装置６に対応する呼び出しランプ８を点滅させるなどして、共有中である遊技用装置４を他の遊技用装置４と区別できるようにする。
【０４４４】
図２３〜図２５では、共有再プレイ処理について説明する。
【０４４５】
図２３は、本発明の実施形態の表示装置６２の再プレイボタン９０５が操作された場合に表示される表示画面の説明図である。
【０４４６】
共有が開始されると、表示装置６２の表示部６２１には、共有玉残数表示画面２３１０が表示される（ＳＴＥＰ５１）。
【０４４７】
共有玉残数表示画面２３１０では、共有玉残数表示部２３１１及び差引表示部２３１２が表示される。
【０４４８】
共有玉残数表示部２３１１は、共有玉の残数、つまり遊技に使用可能な共有玉数が表示される。差引表示部２３１２には、現在の共有玉の残数から共有開始時の共有玉の残数を減算した差引数が表示される。
【０４４９】
そして、再プレイボタン９０５が操作されて、記憶媒体受付端末装置６が、再プレイボタン９０５の一回の操作によって払い出される所定量の遊技球を払い出すと、消費量表示画面２３２０を表示装置６２の表示部６２１に表示する（ＳＴＥＰ５２）。
【０４５０】
消費量表示画面２３２０では、一回の再プレイボタン９０５の操作による遊技球の払い出しで消費される共有玉数、及び共有玉の残数から一回の再プレイボタン９０５の操作による遊技球の払い出しで消費される共有玉数を減算した値が表示される。
【０４５１】
消費量表示画面２３２０が所定時間表示されると、記憶媒体受付端末装置６は、一回の再プレイボタン９０５の操作による遊技球の払い出しで消費される共有玉数を反映した共有玉残数表示画面２３１０を表示する（ＳＴＥＰ５３）。
【０４５２】
ＳＴＥＰ５３で表示される共有玉残数表示画面２３１０の共有玉残数表示部２３１１には、ＳＴＥＰ５１で表示された共有玉残数表示画面２３１０の共有玉残数表示部２３１１の共有玉の残数から、一回の再プレイボタン９０５の操作による遊技球の払い出しで消費される共有玉数が減算された値が表示される。また、ＳＴＥＰ５３で表示される共有玉残数表示画面２３１０の差引表示部２３１２には、共有開始時の共有玉数から、ＳＴＥＰ５３で表示される共有玉残数表示画面２３１０の共有玉残数表示部２３１１の共有玉の残数を減算した値が表示される。
【０４５３】
なお、再プレイボタン９０５が操作されるたびに、ＳＴＥＰ５２で表示される消費量表示画面２３２０の情報を、グループに属するメンバーの携帯電話に電子メールで送信するようにしてもよい。
【０４５４】
図２４は、本発明の実施形態の記憶媒体受付端末装置６によって実行される共有再プレイ処理のフローチャートである。
【０４５５】
まず、記憶媒体受付端末装置６は、共有実行中情報が設定されているか否かを判定する（２４０１）。
【０４５６】
ステップ２４０１の処理で、共有実行中情報が設定されていないと判定された場合には、共有が実行されていないので、共有玉を消費した遊技球の払い出しが行えないので、記憶媒体受付端末装置６は、共有再プレイ処理を終了する。
【０４５７】
一方、ステップ２４０１の処理で、共有実行中情報が設定されていると判定された場合には、共有玉を消費して遊技球を払い出すことを示す共有再プレイ情報を会員管理装置１７に送信する共有再プレイ処理を実行する（２４０２）。共有再プレイ情報には、記憶媒体受付端末装置６のカード挿入口６１に挿入されているカードのカードＩＤが含まれる。
【０４５８】
なお、会員管理装置１７は、共有再プレイ情報を受信すると、受信した共有再プレイ情報に基づいて共有玉数を減算し、共有玉残数情報を、共有を実行しているグループのメンバーのカードが挿入された記憶媒体受付端末装置６に送信する。
【０４５９】
次に、記憶媒体受付端末装置６は、共有玉残数情報１を会員管理装置１７から受信したか否かを判定する（２４０３）。
【０４６０】
ステップ２４０３の処理で、共有玉残数情報１を会員管理装置１７から受信していないと判定された場合には、記憶媒体受付端末装置６は、共有玉残数情報１を受信するまで、ステップ２４０３の処理を繰り返し実行する。
【０４６１】
ステップ２４０３の処理で、共有玉残数情報１を会員管理装置１７から受信したと判定された場合には、記憶媒体受付端末装置６は、一回の再プレイボタン９０５の操作により払い出される所定数の遊技球を払い出す玉払出処理を実行する（２４０４）。
【０４６２】
そして、記憶媒体受付端末装置６は、図２３のＳＴＥＰ５２に示す消費量表示画面２３２０を所定時間表示し、ＳＴＥＰ５３に示す共有玉残数表示画面２３１０を表示する共有玉残数情報報知処理を実行し（２４０５）、共有再プレイ処理を終了する。
【０４６３】
図２５は、本発明の実施形態の会員管理装置１７によって実行される共有玉数情報更新処理のフローチャートである。
【０４６４】
まず、会員管理装置１７は、図２４に示すステップ２４０２の処理で送信される共有再プレイ情報を記憶媒体受付端末装置６から受信したか否かを判定する（２５０１）。
【０４６５】
ステップ２５０１の処理で、共有再プレイ情報を受信したと判定された場合、会員管理装置１７は、グループテーブル８５０を参照し、受信した共有再プレイ情報に含まれるカードＩＤが登録され、かつ共有が実行されているグループのグループＩＤを検索する（２５０２）。
【０４６６】
そして、会員管理装置１７は、一回の再プレイボタン９０５が操作された場合に消費される玉数を共有玉数から減算することによって共有玉数を更新する共有玉数演算処理を実行する（２５０３）。
【０４６７】
具体的には、会員管理装置１７は、ステップ２５０２の処理で検索されたグループに属するメンバーのうち、利用口座に選択されたメンバーのカードＩＤを取得する。そして、会員管理装置１７は、図８Ａに示す会員データベース８００に登録されたエントリから、カードＩＤ８０１に登録されたカードＩＤと取得されたカードＩＤとが一致するエントリの当日貯玉（ＧＰ）８０６に登録された貯玉数から、一回の再プレイボタン９０５の操作によって消費される玉数を減算し、減算された値を当日貯玉（ＧＰ）８０６に登録する。
【０４６８】
次に、会員管理装置１７は、ステップ２５０３の処理で更新された共有玉数を取得し、共有開始時の共有玉数からステップ２５０３の処理で更新された共有玉数を減算し差引情報を算出して、共有玉残数情報を更新する共有玉残数情報更新処理を実行する（２５０４）。
【０４６９】
そして、会員管理装置１７は、ステップ２５０４の処理で更新された共有玉残数情報１を、共有が実行されているグループに属するメンバーのカードが挿入された記憶媒体受付端末装置６に送信し（２５０５）、共有玉数情報更新処理を終了する。
【０４７０】
図２６〜図３０では、共有中断・共有終了処理について説明する。
【０４７１】
図２６は、本発明の実施形態のカードが排出される場合に表示装置６２の表示部６２１に表示される表示画面の説明図である。
【０４７２】
ＳＴＥＰ６１では、表示装置６２の表示部６２１には、メイン画面９１０が表示されている。
【０４７３】
カードが排出され、記憶媒体受付端末装置６が挿入されたカードの読み取りができなくなる場合には、記憶媒体受付端末装置６は、表示装置６２の表示部６２１に、共有終了確認画面２６１０を表示する（ＳＴＥＰ６２）。
【０４７４】
共有終了確認画面２６１０は、共有を終了するか否かを確認するための画面である。共有終了確認画面２６１０では、中断ボタン２６１１、終了ボタン２６１２、及びキャンセルボタン２６１３が表示される。
【０４７５】
中断ボタン２６１１又は終了ボタン２６１２が操作されると、共有が終了することとなり、キャンセルボタン２６１３が操作されると、共有を終了せずに、メイン画面９１０に戻る。
【０４７６】
中断ボタン２６１１は、遊技者が食事などのために遊技を一時中断する場合に操作され、終了ボタン２６１２は、遊技者が遊技を終了する場合に操作される。
【０４７７】
ＳＴＥＰ６２で表示された共有終了確認画面２６１０で終了ボタン２６１２が操作された場合には、表示装置６２の表示部６２１には、共有終了登録報知画面２６２０が表示される（ＳＴＥＰ６３）。
【０４７８】
共有終了登録報知画面２６２０が共有の終了が会員管理装置１７に登録されたことを報知する画面である。
【０４７９】
なお、ＳＴＥＰ６２に示す共有終了確認画面２６１０は、排出ボタン２７が操作された場合に表示されるものとしたが、メイン画面９１０の共有ボタン９１３が操作された場合にも表示されてもよい。
【０４８０】
図２７は、本発明の実施形態の記憶媒体受付端末装置６によって実行される共有中断・共有終了処理のフローチャートである。
【０４８１】
まず、記憶媒体受付端末装置６は、カード挿入口６１に挿入されたカードを排出する操作がなされたことを示す信号が入力されたか否かを判定する（２７０１）。
【０４８２】
カードを排出する操作とは、排出ボタン２７の操作や、中断スイッチ６２２１の操作をいう。
【０４８３】
ステップ２７０１の処理で、カードを排出する操作がなされたことを示す信号が入力されていないと判定された場合には、記憶媒体受付端末装置６は、共有中断・共有終了処理を終了する。
【０４８４】
一方、ステップ２７０１の処理で、カードを排出する操作がなされたことを示す信号が入力されたと判定された場合には、記憶媒体受付端末装置６は、共有終了確認画面２６１０を表示装置６２の表示部６２１に表示する共有終了確認処理を実行する（２７０２）。
【０４８５】
次に、記憶媒体受付端末装置６は、ステップ２７０２の処理で表示された共有終了確認画面２６１０で終了ボタン２６１２が操作されたことを示す信号が入力されたか否かを判定する（２７０３）。
【０４８６】
ステップ２７０３の処理で、終了ボタン２６１２が操作されたことを示す信号が入力されていないと判定された場合、記憶媒体受付端末装置６は、ステップ２７０２の処理で表示された共有終了確認画面２６１０で中断ボタン２６１１が操作されたことを示す信号が入力されたか否かを判定する（２７０４）。
【０４８７】
ステップ２７０４の処理で、中断ボタン２６１１が操作されたことを示す信号が入力されていないと判定された場合には、記憶媒体受付端末装置６は、共有中断・共有終了処理を終了する。
【０４８８】
一方、ステップ２７０４の処理で、中断ボタン２６１１が操作されたことを示す信号が入力されたと判定された場合には、共有中断処理を実行し（２７０５）、共有中断・共有終了処理を終了する。共有中断処理は、図２９で詳細を説明する。
【０４８９】
ステップ２７０３の処理で、終了ボタン２６１２が操作されたことを示す信号が入力された場合には、記憶媒体受付端末装置６は、共有が終了することを示す共有終了情報を送信する共有終了情報送信処理を実行する（２７０６）。共有終了情報には、記憶媒体受付端末装置６に挿入されているカードのカードＩＤが含まれる。
【０４９０】
なお、会員管理装置１７は、共有終了情報を受信すると、受信した共有終了情報に含まれるカードＩＤに対して共有を終了することを登録し、共有終了登録完了情報を記憶媒体受付端末装置６に送信する。
【０４９１】
次に、記憶媒体受付端末装置６は、共有終了登録情報を会員管理装置１７から受信したか否かを判定する（２７０７）。
【０４９２】
ステップ２７０７の処理で、共有終了登録情報を会員管理装置１７から受信していないと判定された場合には、記憶媒体受付端末装置６は、共有終了登録情報を受信するまで、ステップ２７０７の処理を繰り返し実行する。
【０４９３】
一方、ステップ２７０７の処理で、共有終了登録情報を会員管理装置１７から受信したと判定された場合には、記憶媒体受付端末装置６は、図２６に示すＳＴＥＰ６３に示す共有終了登録報知画面２６２０を表示装置６２の表示部６２１に表示する共有終了登録報知処理を実行する（２７０８）。
【０４９４】
次に、記憶媒体受付端末装置６は、共有を実行しているグループのすべてのメンバーに対して共有が解除された場合に、共有実行中情報をクリアし（２７０９）、共有中断・共有終了処理を終了する。
【０４９５】
図２８は、本発明の実施形態の会員管理装置１７によって実行される共有終了登録処理のフローチャートである。
【０４９６】
まず、会員管理装置１７は、図２７のステップ２７０６の処理で送信される共有終了情報を受信したか否かを判定する（２８０１）。
【０４９７】
ステップ２８０１の処理で、共有終了情報を受信していないと判定された場合には、会員管理装置１７は、共有終了登録処理を終了する。
【０４９８】
一方、ステップ２８０１の処理で、共有終了情報を受信したと判定された場合には、会員管理装置１７は、グループテーブル８５０を参照して、受信した共有終了情報に含まれるカードＩＤが登録されたグループのグループＩＤを検索する（２８０２）。
【０４９９】
そして、会員管理装置１７は、受信した共有終了情報に含まれるカードＩＤがステップ２８０２の処理で検索されたグループＩＤの共有を終了すること（共有終了情報）をグループテーブル８５０に登録する（２８０３）。
【０５００】
次に、会員管理装置１７は、共有終了登録情報（登録完了情報）を記憶媒体受付端末装置６に送信し（２８０４）、遊技場管理装置１に共有停止情報を送信し（２８０５）、共有終了登録処理を終了する。
【０５０１】
なお、遊技場管理装置１は共有停止情報を受信すると、共有を終了した記憶媒体受付端末装置６に対応する呼び出しランプ８を消灯させるなどして、共有中であった遊技用装置４において共有が終了したことを報知するようにしている。
【０５０２】
図２９は、本発明の実施形態の記憶媒体受付端末装置６によって実行される共有中断処理のフローチャートである。
【０５０３】
まず、記憶媒体受付端末装置６は、共有を中断することを示す共有中断情報を送信する共有中断情報送信処理を実行する（２９０１）。共有中断情報には、記憶媒体受付端末装置６に挿入されているカードＩＤが含まれる。
【０５０４】
なお、会員管理装置１７は、共有中断情報を受信すると、受信した共有中断情報に含まれるカードＩＤに対して共有を中断することを登録し、共有中断登録情報を記憶媒体受付端末装置６に送信する。
【０５０５】
記憶媒体受付端末装置６は、共有中断登録情報を会員管理装置１７から受信したか否かを判定する（２９０２）。
【０５０６】
ステップ２９０２の処理で、共有中断登録情報を会員管理装置１７から受信していないと判定された場合、記憶媒体受付端末装置６は、共有中断登録情報を受信するまで、ステップ２９０２の処理を繰り返し実行する。
【０５０７】
一方、ステップ２９０２の処理で、共有中断登録情報を会員管理装置１７から受信したと判定された場合、共有が中断されたことを遊技者に報知するための図示しない共有中断登録報知画面を表示装置６２の表示部６２１に表示する共有中断登録報知処理を実行する（２９０３）。
【０５０８】
次に、記憶媒体受付端末装置６は、中断解除操作がなされたか否かを判定する（２９０４）。
【０５０９】
中断解除操作は、中断ボタン２６１１が操作されてカードが排出される際に、記憶媒体受付端末装置６に記憶されるカードＩＤと、新たにカード挿入口６１に挿入されたカードＩＤとが一致した場合のカード挿入操作をいう。
【０５１０】
ステップ２９０４の処理で、中断解除操作がなされていないと判定された場合には、記憶媒体受付端末装置６は、中断解除操作がなされるまで、ステップ２９０４の処理を繰り返し実行する。
【０５１１】
一方、ステップ２９０４の処理で、中断解除操作がなされたと判定された場合には、共有の中断が解除されたことを示す中断解除情報を会員管理装置１７に送信する中断解除情報送信処理を実行する（２９０５）。中断解除情報には、カード挿入口６１に挿入されたカードＩＤが含まれる。
【０５１２】
なお、会員管理装置１７は、中断解除情報を受信すると、受信した中断解除情報に含まれるカードＩＤに対して共有の中断が解除されることを登録し、中断解除完了情報を記憶媒体受付端末装置６に送信する。
【０５１３】
次に、記憶媒体受付端末装置６は、中断解除完了情報を会員管理装置１７から受信したか否かを判定する（２９０６）。
【０５１４】
ステップ２９０６の処理で、中断解除完了情報を会員管理装置１７から受信していないと判定された場合には、記憶媒体受付端末装置６は、中断解除完了情報を受信するまで、ステップ２９０６の処理を実行する。
【０５１５】
一方、ステップ２９０６の処理で、中断解除完了情報を会員管理装置１７から受信したと判定された場合には、会員管理装置１７は、共有の中断が解除されたことを遊技者に報知するための図示しない中断解除報知画面を表示装置６２の表示部６２１に表示する中断解除報知処理を実行し（２９０７）、共有中断処理を終了する。
【０５１６】
図３０は、本発明の実施形態の会員管理装置１７によって実行される共有中断登録処理のフローチャートである。
【０５１７】
まず、会員管理装置１７は、図２９のステップ２９０１の処理で送信される共有中断情報を受信したか否かを判定する（３００１）。
【０５１８】
ステップ３００１の処理で、共有中断情報を受信していないと判定された場合には、会員管理装置１７は、共有中断登録処理を終了する。
【０５１９】
一方、ステップ３００１の処理で、共有中断情報を受信したと判定された場合には、会員管理装置１７は、グループテーブル８５０を参照して、受信した共有中断情報に含まれるカードＩＤが登録されたグループのグループＩＤを検索する（３００２）。
【０５２０】
そして、会員管理装置１７は、受信した共有中断情報に含まれるカードＩＤがステップ３００２の処理で検索されたグループＩＤの共有を中断すること（共有中断情報）を状態８５３に登録する（３００３）。
【０５２１】
次に、会員管理装置１７は、共有中断情報を送信した記憶媒体受付端末装置６に、共有中断登録情報を送信する（３００４）。
【０５２２】
次に、会員管理装置１７は、図２９のステップ２９０５の処理で送信される中断解除情報を受信したか否かを判定する（３００５）。
【０５２３】
ステップ３００５の処理で、中断解除情報を受信していないと判定された場合には、会員管理装置１７は、中断解除情報を受信するまで、ステップ３００５の処理を繰り返し実行する。
【０５２４】
一方、ステップ３００５の処理で、中断解除情報を受信したと判定された場合には、会員管理装置１７は、ステップ３００３の処理で登録された共有中断情報をクリアし（３００６）、中断解除完了情報を、共有中断情報を送信した記憶媒体受付端末装置６に送信し（３００７）、共有中断登録処理を終了する。
【０５２５】
このように、本発明の実施形態では、記憶媒体受付端末装置６にカードが挿入されて、記憶媒体受付端末装置６がカードの読み取りを開始してから、共有が実行される。また、記憶媒体受付端末装置６がカードを読み取ることができなる場合に、実行されていた共有が解除される。
【０５２６】
そして、グループの全メンバーが共有を終了した場合には、共有遊技を終了する。なお、グループのメンバーが会員カードを抜き忘れてしまった場合には、遊技場の営業時間終了時に係員によって、会員カードが抜き出され、この時点で共有が終了する。
【０５２７】
したがって、遊技店の営業が終了すると、すべての記憶媒体受付端末装置６からカードが排出されるので、遊技店の営業終了後には、実行されていた共有がすべて解除される。
【０５２８】
このため、遊技店の営業終了後にはいかなる共有も実行されていないので、共有玉口座情報に記憶された遊技媒体数情報を翌営業日まで管理する必要はないので、複数の遊技者で遊技媒体を共有することを可能としつつも、共有するために必要なデータの保存領域を少なくすることができる。
【０５２９】
また、本発明の実施形態では、景品交換を容易にするために、グループに属するメンバーの共有が終了していることを条件に、共有玉に基づく交換を可能にしている。具体的には、景品交換を行う場合に、会員管理装置１７によってグループテーブル８５０が参照され、状態８５３が全て未挿入となっているか否かを判定する。この判定の結果、全てのカードＩＤに対応するカードが記憶媒体受付端末装置６に対して未挿入となっている場合に、グループに属するメンバーの共有が終了していると判断する。このように構成することで、共有が実行されているにもかかわらず、途中で景品交換が行われて共有に供する玉が無くなってしまうという不具合を防止できる。また、会員管理装置１７において、共有の途中で景品交換による玉数の減算等の処理を行うという煩雑な処理を行う必要がなくなり、処理負担を軽減することができる。なお、利用口座に選択されたメンバーのみが景品交換を行うようにしてもよい。
【０５３０】
図３１及び図３２では、各台計数器６８によって計数された遊技球を遊技者の持ち玉として計数する計数処理について説明する。
【０５３１】
図３１は、本発明の実施形態の記憶媒体受付端末装置６によって実行される計数情報送信処理のフローチャートである。
【０５３２】
まず、記憶媒体受付端末装置６は、各台計数器６８が所定数の遊技球を計数した場合に出力する計数信号が入力されたか否かを判定する（３１０１）。
【０５３３】
ステップ３１０１の処理で、計数信号が入力されていないと判定された場合に、記憶媒体受付端末装置６は、計数情報送信処理を終了する。
【０５３４】
一方、ステップ３１０１の処理で、計数信号が入力されたと判定された場合に、記憶媒体受付端末装置６は、入力された計数信号により特定される遊技球数を持ち玉数データに加算する（３１０２）。
【０５３５】
次に、記憶媒体受付端末装置６は、ステップ３１０２の処理で各台計数器６８によって計数された遊技球数が加算された持ち玉数データが所定値（Ｘ）よりも大きいか否かを判定する（３１０３）。
【０５３６】
ステップ３１０３の処理で、持ち玉数データが所定値（Ｘ）以下であると判定された場合には、記憶媒体受付端末装置６は、計数情報を送信せずに、計数情報送信処理を終了する。
【０５３７】
一方、ステップ３１０３の処理で、持ち玉数データが所定値（Ｘ）よりも大きいと判定された場合には、記憶媒体受付端末装置６は、持ち玉数データから所定値（Ｘ）を減算し、減算された値（Ｙ）を算出する（３１０４）。
【０５３８】
そして、記憶媒体受付端末装置６は、ステップ３１０４の処理で算出された値（Ｙ）を計数情報として会員管理装置１７に送信する（３１０５）。なお、計数情報には、記憶媒体受付端末装置６に挿入されているカードのカードＩＤが含まれる。
【０５３９】
なお、会員管理装置１７は、計数情報を受信すると、受信した計数情報に対応する値（Ｙ）を図８Ａに示す会員データベース８００の当日貯玉（ＧＰ）８０６に加算することによって、所定値（Ｘ）以上の持ち玉を共有玉として計数し、共有玉残数情報を記憶媒体受付端末装置６に送信する。
【０５４０】
次に、記憶媒体受付端末装置６は、共有玉残数情報２を会員管理装置１７から受信したか否かを判定する（３１０６）。
【０５４１】
ステップ３１０６の処理で、共有玉残数情報２を会員管理装置１７から受信していないと判定された場合には、記憶媒体受付端末装置６は、共有玉残数情報２を受信するまで、ステップ３１０６の処理を繰り返し実行する。
【０５４２】
一方、ステップ３１０６の処理で、共有玉残数情報２を会員管理装置１７から受信したと判定された場合には、記憶媒体受付端末装置６は、持ち玉数データからステップ３１０４の処理で算出された値（Ｙ）を減算して（３１０７）、計数情報送信処理を終了する。
【０５４３】
なお、会員管理装置１７に持ち玉数データを送信する条件として、持ち玉数データが所定値（Ｘ）に到達すること以外にも、計数信号が入力されてから一定時間（例えば、６０秒）経過した場合に持ち玉数データを算出するようにしてもよい。
【０５４４】
図３２は、本発明の実施形態の会員管理装置１７によって実行される計数情報更新処理のフローチャートである。
【０５４５】
まず、会員管理装置１７は、図３１に示すステップ３１０５の処理で送信される計数情報を受信したか否かを判定する（３２０１）。
【０５４６】
ステップ３２０１の処理で、計数情報を受信していないと判定された場合には、会員管理装置１７は、計数情報更新処理を終了する。
【０５４７】
一方、ステップ３２０１の処理で、計数情報を受信したと判定された場合には、会員管理装置１７は、図８の会員データベース８００に登録されたエントリのうち、カードＩＤ８０１に登録されたカードＩＤと受信した計数情報に含まれるカードＩＤとが一致するエントリの当日貯玉（ＧＰ）８０６に、受信した計数情報に対応する値（Ｙ）を加算し、共有玉数を更新する（３２０２）。
【０５４８】
そして、会員管理装置１７は、ステップ３２０２の処理で更新された当日貯玉（ＧＰ）８０６に登録された玉数を残数として取得し（３２０３）、計数情報を送信した記憶媒体受付端末装置６に共有玉残数情報２を送信し（３２０４）、計数情報更新処理を終了する。
【０５４９】
なお、遊技機内に所定数の遊技球を封入し、発射位置から遊技領域に発射された遊技球を回収して遊技球を循環使用する封入球式遊技機に本発明を適用することも可能である。
【０５５０】
また、本発明の実施形態では、記憶媒体受付端末装置６に必要な情報を入力することによって、グループのメンバーを追加していたが、基準となる会員カードが挿入された記憶媒体受付端末装置６に、グループのメンバーとなる遊技者の会員カードを挿入することによって、グループの登録（メンバーの追加）を行うようにしてもよい。
【０５５１】
このとき、カード挿入口６１が１つだけ備えられている場合には、一旦、基準となる会員カードを抜き出した後、所定の時間（例えば、１分）以内に追加されるメンバーの会員カードを挿入する。一方、会員カードのカード挿入口６１が２つ備えられている場合には、空いているカード挿入口に追加されるメンバーの会員カードを挿入すればよい。
【０５５２】
また、本発明の実施形態では、記憶媒体受付端末装置６でグループの登録を行っていたが、専用の端末機を遊技場に設置して、この専用端末機でグループの登録などを行うようにしてもよい。
【０５５３】
専用端末機が設置されている場合には、共有専用カードをグループの人数分発行し、発行された共有専用カードを用いて共有玉遊技を行うようにしてもよい。
【０５５４】
さらに、専用端末機が設置されている場合には、親カードを挿入し、共有専用カード（子カード）を発行するようにしてもよい。親カードは、グループのメンバーの会員カードであればよく、例えば、共有玉口座を提供する遊技者の会員カードとしてもよい。
【０５５５】
また、共有専用カード及び会員カードをいずれも子カードとして利用できるようにしてもよい。このとき、会員カードを子カードとして利用した場合には、共有玉使用時に暗証番号の入力を不要とし、共有専用カードを子カードとして利用した場合には、暗証番号の入力を必要とするように構成してもよい。このように構成し、各種情報の開示内容に差別化を図るようにすることによって、共有専用カードを利用する遊技者に会員カードのメリットを認識させることができ、会員カード利用者数の増加を見込むことができる。
【０５５６】
また、本発明の実施形態のように、記憶媒体受付端末装置６に「球貸しに関する機能」及び「貯玉を利用するための機能」を備えている場合には、会員カードが挿入された状態であって、かつ、共有玉がある場合には、新たな有価価値（現金）を投入して遊技球を払い出すことを禁止するようにしてもよい。こうすることによって、共有玉と共有玉以外の遊技球とが混在することを防ぐことができる。例えば、グループ内の誰かが会員カードをカード挿入口６１から抜き忘れた状態で、第三者がこの遊技用装置４で新たに遊技を行った場合に、第三者が獲得した遊技球と共有玉とが混在することを防ぐことができる。
【０５５７】
また、本発明の実施形態では、一つのカードＩＤに対して貯玉口座と当日貯玉口座を設け、それぞれの口座に対して個人で使用するための個人口座とグループで使用するための共有口座を設定したが、共有口座を設けずに貯玉口座の個人口座と当日貯玉口座の個人口座を利用して共有を行うようにしてもよい。このように構成すれば、共有を終了すると、その共有によって獲得した玉数データ等がそのまま共有に利用した個人口座に記憶されることとなる。したがって、グループでの利用が無くなったり、遊技に供したり景品交換に供したりできない端数データが発生した場合でも、その玉数データの扱いを検討する必要がなくなり、無駄なデータにより遊技媒体数情報に関する保存領域が圧迫されることを防止できる。
【０５５８】
本発明の実施形態では、以下の効果を奏し得る。
【０５５９】
複数人で貯玉を共有して利用できる。また、共有グループに属する複数の遊技者の口座情報から遊技媒体数情報を共有する共有口座情報を選択し、選択された共有口座情報を共有するので、共有グループを管理するために、独立した口座を作成する必要がない。このため、遊技媒体数情報に関する保存領域が圧迫されることを防止できる。
【０５６０】
また、個人遊技媒体数情報と共有遊技媒体数情報とを有し、口座共有手段は共有口座情報として選択された口座情報の個人遊技媒体数情報を共有媒体数情報に移行するので、個人で利用する遊技媒体数情報と共有グループで利用する遊技媒体数情報とを区分けすることができ、遊技スタイル（個人で遊技を行う場合と遊技媒体数情報を共有して遊技を行う場合）に応じて利用する遊技媒体数情報を選択することができる。
【０５６１】
また、共有遊技媒体数情報へ移行する個人遊技媒体数情報量の決定に関する権限を、共有口座情報として選択された遊技者のみに付与するので、不正に共有グループの登録がなされること（例えば、他人の会員カードを無断で使用してグループ登録を行い、遊技媒体数情報を共有化することなど）を防止できる。
【０５６２】
また、共有開始手段と共有終了手段とを有するので、共有口座の利用の開始と共有口座の利用の終了とを容易に判断することができるとともに、共有するために必要なデータの保存領域を少なくすることができる。
【０５６３】
また、共有グループに属するすべての遊技者の共有口座情報の利用の終了が確認された場合に、景品交換を実行可能としたので、景品交換に関する処理を容易にすることができる。
【０５６４】
また、会員個人に割り当てられた口座（共有口座）を利用して共有を行うので、口座に貯玉が記憶された（残された）状態でグループによる利用が無くなったとしても、その個人の貯玉として扱うことができる。したがって、専用のグループ口座を開設する必要がなく、保存領域におけるデータ肥大を防止することができる。
【０５６５】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０５６６】
以上のように、本発明は、遊技者間で遊技媒体の提供を行う遊技システムに適用することができる。
【符号の説明】
【０５６７】
１    遊技場管理装置
３    情報収集端末装置
４    遊技用装置
５    遊技機
６    記憶媒体受付端末装置
７    コーナーランプ
８    呼出しランプ
９    景品ＰＯＳ
１３Ａ    中継装置
１３Ｂ    中継装置
１４    インタフェース装置
１５    残額精算機
１６    装飾部材
１７    会員管理装置
６１    カード挿入口
６２    表示装置
６３    紙幣挿入口
６４    状態表示部
６６    払出口
６７    球払出案内装置
６８    各台計数器
６２１    表示部
８００    会員データベース
８５０    グループテーブル
【図１】
2011098050.tif 000003
【図２】
2011098050.tif 000004
【図３】
2011098050.tif 000005
【図４】
2011098050.tif 000006
【図５】
2011098050.tif 000007
【図６】
2011098050.tif 000008
【図７】
2011098050.tif 000009
【図８Ａ】
2011098050.tif 000010
【図８Ｂ】
2011098050.tif 000011
【図９Ａ】
2011098050.tif 000012
【図９Ｂ】
2011098050.tif 000013
【図１０】
2011098050.tif 000014
【図１１】
2011098050.tif 000015
【図１２】
2011098050.tif 000016
【図１３】
2011098050.tif 000017
【図１４】
2011098050.tif 000018
【図１５】
2011098050.tif 000019
【図１６】
2011098050.tif 000020
【図１７】
2011098050.tif 000021
【図１８】
2011098050.tif 000022
【図１９】
2011098050.tif 000023
【図２０】
2011098050.tif 000024
【図２１】
2011098050.tif 000025
【図２２】
2011098050.tif 000026
【図２３】
2011098050.tif 000027
【図２４】
2011098050.tif 000028
【図２５】
2011098050.tif 000029
【図２６】
2011098050.tif 000030
【図２７】
2011098050.tif 000031
【図２８】
2011098050.tif 000032
【図２９】
2011098050.tif 000033
【図３０】
2011098050.tif 000034
【図３１】
2011098050.tif 000035
【図３２】
2011098050.tif 000036